(57)【要約】【解決手段】  本発明は、断熱輸送ボックスおよび断熱輸送ボックスの構造体に関する。ボックス（１）は、カバー（２）およびボックス本体（３）を備える。ボックス本体（３）は、側壁（４）、端壁（５）、開口部（６）および底壁（７）を備える。側壁（４）の内面は、側壁（４）から突出した複数の半柱（９ａ）を備え、端壁（５）の内面は、端壁（５）から突出した複数の半柱（９ｂ）を備え、複数の半柱（９ａ−ｂ）は、側壁（４）と端壁（５）に沿って垂直に延びている。ボックスは、その対向する縁部（１３）にノッチ（１２）を有する少なくとも１つの隔壁（２２、２２ｂ）を備え、隔壁（２２、２２ｂ）が開口部（６）の少なくとも一部を覆うように配置されると、隔壁（２２、２２ｂ）は複数の半柱（９ａ）によって支持される。【選択図】図１
2021502537.tif 000002
【特許請求の範囲】
【請求項１】
カバー（２）とボックス本体（３）とを備える断熱輸送ボックス（１）であって、
前記ボックス本体（３）は、側壁（４）、端壁（５）、開口部（６）、および底壁（７）を備え、
前記側壁（４）の内面は、前記側壁（４）から突出する複数の半柱（９ａ）を備え、
前記端壁（５）の内面は、前記端壁（５）から突出する複数の半柱（９ｂ）を備え、
前記複数の半柱（９ａ−ｂ）は、前記側壁（４）および前記端壁（５）に沿って垂直に延び、
前記断熱輸送ボックス（１）は、その対向する縁部（１３）にノッチ（１２）を有する少なくとも１つの隔壁（２２、２２ｂ）を備え、
前記隔壁（２２、２２ｂ）は、前記開口部（６）の少なくとも一部を覆うように配置されているために前記複数の半柱（９ａ−ｂ）によって支持され、
前記ノッチ（１２）の少なくとも一部は、前記側壁（４）から突出した前記複数の半柱（９ａ）の間のギャップ（１０ａ）と整列して空気の流路を形成しており、
前記隔壁（２２、２２ｂ）は、２つの水平方向に互いに隣接するスペース（２０ａ−ｄ）を生成するための分離壁を形成するために互いに隣接する複数の半柱（９ａ）の間に配置可能であり、
前記隔壁（２２、２２ｂ）は、蓄冷または蓄熱アキュムレータ（Ａ１、Ａ２）によって形成され、
前記蓄冷または蓄熱アキュムレータ（Ａ１、Ａ２）は、相変化材料用の容器（Ｃ１）を備え、
前記容器は、前面（ＦＦ１）、前記容器（Ｃ１）の後側の背面（ＢＦ１）、および前記前面（ＦＦ１）と前記背面（ＢＦ１）との間の側端部（ＳＥ１−ＳＥ４）を備え、
前記前面（ＦＦ１）および前記背面（ＢＦ１）のアキュムレータ（Ａ１）は、突起部（ＰＲ１１１−ＰＲ１１３、ＰＲ１２１−ＰＲ１２３）とネスト（Ｎ１１１−Ｎ１１３、Ｎ１２１−Ｎ１２３）とを有し、
前記アキュムレータ（Ａ１）の前記突起部（ＰＲ１１１−ＰＲ１１３）は、別のアキュムレータ（Ａ２）の対応するネスト（Ｎ２２１−Ｎ２２３）と結合するように配置され、
前記アキュムレータ（Ａ１）の前記ネスト（Ｎ１１１−Ｎ１１３）は、前記アキュムレータ（Ａ１）の前記容器（Ｃ１）の面（ＦＦ１）が前記別のアキュムレータ（Ａ２）の面（ＢＦ２）に対向するように配置される使用モードを形成するように、前記別のアキュムレータ（Ａ２）の対応する突起部と結合するように配置されることを特徴とする断熱輸送ボックス。
【請求項２】
前記蓄冷または蓄熱アキュムレータ（Ａ１、Ａ２）の前記前面（ＦＦ１）および前記背面（ＢＦ１）の両方において、
前記突起部およびネストは、前記容器（Ｃ１）のそれぞれの前記面（ＦＦ１；ＢＦ１）の第１表面領域（ＳＡ１１１、ＳＡ１２１）にある第１グループが少なくとも２つの突起部（ＰＲ１１１、ＰＲ１１２；ＰＲ１２１、ＰＲ１２２）および少なくとも１つのネスト（Ｎ１１３；Ｎ１２３）を有する少なくとも３つの部材を備え、前記容器のそれぞれの前記面（ＦＦ１；ＢＦ１）の第２表面領域（ＳＡ１１２；ＳＡ１２２）にある第２グループが少なくとも２つのネスト（Ｎ１１１、Ｎ１１２；Ｎ１２１、Ｎ１２２）と少なくとも１つの突起部（ＰＲ１１３；ＰＲ１２３）を有する少なくとも３つの部材を有するように、グループに配置されており、
前記アキュムレータ（Ａ１）が前記別のアキュムレータ（Ａ２）と比較して回転された位置にあるように配置されるとき、前記アキュムレータ（Ａ１）の前記突起部（ＰＲ１１１−ＰＲ１１３）は、空気ギャップモードを形成するように、前記第２のアキュムレータ（Ａ２）の前記突起部に対向して配置され、前記空気ギャップモードは、前記アキュムレータ（Ａ１）の前記面（ＦＦ１）が前記別のアキュムレータ（Ａ２）の前記面（ＦＦ２）から離れて配置され、それによって、前記アキュムレータの前記面（ＦＦ１）と前記別のアキュムレータ（Ａ２）の前記面（ＦＦ２）との間に空気ギャップ（Ｇ１）を提供するモードであることを特徴とする請求項１に記載の断熱輸送ボックス。
【請求項３】
前記断熱輸送ボックス（１）は、その対向する縁部（１３）にノッチ（１２）を有する少なくとも１つの分離パーティション（１１）をさらに備え、
前記分離パーティション（１１）は、前記開口部（６）の少なくとも一部を覆うように配置されているため、前記複数の半柱（９ａ−ｂ）によって支持され、
前記ノッチ（１２）の少なくとも一部は、前記側壁（４）から突出した前記複数の半柱（９ａ）の間のギャップ（１０ａ）と整列して空気の流路を形成し、
前記分離パーティション（１１）は、２つの水平方向に互いに隣接するスペース（２０ａ−ｂ）を生成するための分離壁を形成するように、互いに隣接する複数の半柱（９ａ）の間に配置可能であることを特徴とする請求項１または２のいずれか１つに記載の断熱輸送ボックス。
【請求項４】
前記底壁（７）が複数の実質的に半球形状の突起部（１８）を有することを特徴とする請求項１から３のいずれか１つに記載の断熱輸送ボックス。
【請求項５】
前記複数の実質的に半球形状の突起部（１８）の少なくとも一部は、前記底壁（７）の横方向（ｗ）に列を成して並べられており、
２つの互いに隣接する列間のギャップ（１９ａ）と、前記側壁（４）から突出する２つの互いに隣接する複数の半柱（９ａ）間のギャップ（１０ａ）とは、前記ボックス本体（３）の長手方向（Ｌ）のほぼ同じ位置にあることを特徴とする請求項４に記載の断熱輸送ボックス。
【請求項６】
前記ボックス本体（３）、前記複数の半柱（９ａ−ｂ）、および前記複数の実質的に半球形状の突起部（１８）は、同じ材料を含み、単一の部品を形成することを特徴とする請求項４に記載の断熱輸送ボックス。
【請求項７】
前記側壁（４）から突出している前記複数の半柱（９ａ）の少なくとも一部が、前記底壁（７）から前記ボックス本体（３）の上部まで延びていることを特徴とする請求項１から６のいずれか１つに記載の断熱輸送ボックス。
【請求項８】
前記側壁（４）から突出している前記複数の半柱（９ａ）が、その直径の半分未満だけ前記側壁（４）から突出していることを特徴とする請求項１から７のいずれか１つに記載の断熱輸送ボックス。
【請求項９】
分離パーティション（１１）が、１つ以上の蓄冷または蓄熱アキュムレータ（１６）のための支持面を形成し、前記ボックス本体（３）の下部に輸送物品（１５）のための支持面を形成するために配置可能であることを特徴とする請求項３から８のいずれか１つに記載の断熱輸送ボックス。
【請求項１０】
前記隔壁（２２、２２ｂ）が前記ボックス本体（３）の下部に配置されているときに、前記ノッチ（１２）は前記複数の半柱（９ａ）を囲むように前記複数の半柱（９ａ）と整列していることを特徴とする請求項１から９のいずれか１つに記載の断熱輸送ボックス。
【請求項１１】
分離パーティション（１１）は、前記縁部（１３）から突出するリップ部（２１）を備え、
前記分離パーティション（１１）が前記ボックス本体（３）の下部に配置されているとき、前記リップ部（２１）は、前記底壁（７）に接触し、前記分離パーティション（１１）を支持して、前記底壁（７）と前記分離パーティション（１１）との間に空気の流路を提供することを特徴とする請求項３から１０のいずれか１つに記載の断熱輸送ボックス。
【請求項１２】
前記断熱輸送ボックス（１）は、温度監視装置（２３）のための取り付けトレイ（２４）を備え、
前記取り付けトレイ（２４）は、分離パーティション（１１）、または隔壁（２２）、または蓄冷アキュムレータまたは蓄熱アキュムレータ（１６）に取り付けられることを特徴とする請求項１から１１のいずれか１つに記載の断熱輸送ボックス。
【請求項１３】
前記断熱輸送ボックス（１）が持ち運び可能であり、運搬部材（２６）のための固定点（２５）を有することを特徴とする請求項１から１２のいずれか１つに記載の断熱輸送ボックス。
【請求項１４】
構造体が断熱輸送ボックス（１）を有し、前記断熱輸送ボックス（１）がカバー（２）およびボックス本体（３）を備え、前記ボックス本体（３）が側壁（４）、端壁（５）、開口部（６）、および底壁（７）を備える断熱輸送ボックスの構造体であって、
前記側壁（４）の内面は、前記側壁（４）から突出している複数の半柱（９ａ）を備え、
前記端壁（５）の内面は、前記端壁（５）から突出している複数の半柱（９ｂ）を備え、
前記複数の半柱（９ａ−ｂ）は、前記側壁（４）および前記端壁（５）に沿って垂直に延びており、
前記断熱輸送ボックス（１）は２つの隔壁（２２、２２ｂ）を備え、
前記隔壁（２２、２２ｂ）は、その対向する縁部（１３）にノッチ（１２）を有し、
前記隔壁は、前記隔壁（２２、２２ｂ）が前記複数の半柱（９ａ−ｂ）によって支持された前記開口部（６）の少なくとも一部を覆うように配置可能であり、
前記ノッチ（１２）の少なくとも一部は、前記側壁（４）から突出している前記複数の半柱（９ａ）間のギャップ（１０ａ）と整列して空気の流路を形成しており、
蓄冷または蓄熱アキュムレータ（Ａ１、Ａ２）は、前記隔壁（２２、２２ｂ）を形成しており、
前記蓄冷または蓄熱アキュムレータ（Ａ１、Ａ２）は、相変化材料用の容器（Ｃ１）を備え、
前記容器は、前面（ＦＦ１）、前記容器（Ｃ１）の後側の背面（ＢＦ１）、および前記前面（ＦＦ１）と前記背面（ＢＦ１）の間の側端部（ＳＥ１−ＳＥ４）を備え、
前記前面（ＦＦ１）および前記背面（ＢＦ１）のアキュムレータ（Ａ１）は、突起部（ＰＲ１１１−ＰＲ１１３、ＰＲ１２１−ＰＲ１２３）およびネスト（Ｎ１１１−Ｎ１１３、Ｎ１２１−Ｎ１２３）を有し、
前記アキュムレータ（Ａ１）の前記突起部（ＰＲ１１１−ＰＲ１１３）は、別のアキュムレータ（Ａ２）の対応するネスト（Ｎ２２１−Ｎ２２３）と結合されるように配置され、
前記アキュムレータ（Ａ１）の前記ネスト（Ｎ１１１−Ｎ１１３）は、前記アキュムレータ（Ｃ１）の前記容器（Ｃ１）の面（ＦＦ１）が前記別のアキュムレータ（Ａ２）の面（ＢＦ２）に対向するように配置される使用モードを形成するように、前記別のアキュムレータ（Ａ２）の対応する突起部と結合されるように配置されており、前記構造体は、２つの前記隔壁（２２ｂ）を形成している第１および第２の蓄冷または蓄熱アキュムレータを有し、第１のアキュムレータ（Ａ１）の前記容器（Ｃ１）の前記面（ＦＦ１）は、第２のアキュムレータ（Ａ２）の前記容器（Ｃ２）の前記面（ＢＦ２）に対向するように配置されており、２つの水平方向に互いに隣接するスペース（２０ａ−ｄ）を生成するために、第１および第２のアキュムレータが互いに隣接する複数の半柱（９ａ）の間に配置されることを特徴とする断熱輸送ボックスの構造体。
【請求項１５】
構造体において、２つの隔壁（２２ｂ）を形成している２つの蓄冷または蓄熱アキュムレータ（Ａ１、Ａ２）を備え、
前記アキュムレータ（Ａ１、Ａ２）が前記開口部（６）を覆うように並べて配置され、
前記アキュムレータ（Ａ１、Ａ２）が前記複数の半柱（９ａ−ｂ）によって支持されていることを特徴とする請求項１４に記載の断熱輸送ボックスの構造体。
【請求項１６】
構造体において、前記第１のアキュムレータ（Ａ１）の前記容器（Ｃ１）内の相変化材料は、前記第２のアキュムレータ（Ａ２）の前記容器（Ｃ２）内の相変化材料とは異なる融解／凝固温度を有することを特徴とする請求項１４または１５のいずれか１つに記載の断熱輸送ボックスの構造体。
【請求項１７】
構造体において、前記底壁（７）に並んで配置された２つの隔壁（２２ｂ）をさらに有することを特徴とする請求項１４から１６のいずれか１つに記載の断熱輸送ボックスの構造体。
【請求項１８】
構造体において、断熱輸送ボックスが請求項１から１３のいずれか１つに記載の断熱輸送ボックスを備えることを特徴とする請求項１４から１７のいずれか１つに記載の断熱輸送ボックスの構造体。
【請求項１９】
ワクチンの輸送のための請求項１から１３のいずれか１つに記載の断熱輸送ボックスの使用。
【請求項２０】
生鮮食品の一時的な保管のための請求項１から１３のいずれか１つに記載の断熱輸送ボックスの使用。
【発明の詳細な説明】
【技術分野】
【０００１】
本発明は、断熱輸送ボックスおよび断熱輸送ボックスの構造体に関し、特に、持ち運び可能であり、温度に敏感な物品の輸送に使用することができる断熱輸送ボックスに関する。
【背景技術】
【０００２】
場合によっては、薬物や食料品などの温度に敏感な物品は、電気なしで適切な温度を維持する必要がある容器で輸送され、一時的に保管される必要がある。
【０００３】
例としては、遠隔地へのワクチンの輸送がある。予防接種プログラムでは、何十年もの間、ワクチンの運送体として断熱容器を使用してきた。典型的には、ワクチンの最後のマイルの輸送は、人間が歩くか、断熱容器を運ぶバイクで行われる。ほとんどの医薬品化合物の品質低下が最も低い温度範囲は、通常＋２℃〜＋８℃である。ただし、多くのワクチンは凍結に敏感であるため、凍結のリスクを最小限に抑える必要もある。したがって、ワクチンの運送体における上限温度の超過と下限未満への温度の未達との両方がワクチン廃棄を引き起こし、ワクチン接種されるヒトの数を減少させる。
【０００４】
別の例は、食料品が屋外で販売される見本市や祭りである。一時的および移動式の食品販売業者は、食品を法定の最高値より低い温度または法定の最低値より高い温度に保つ必要がある。特に、冷蔵は食品安全性にとって非常に重要である。
【０００５】
送電網から独立しており、温度に敏感な物品の輸送および一時保管に確実に使用でき、物品の温度を推奨温度範囲内に保つことができる断熱容器が必要である。
【発明の概要】
【発明が解決しようとする課題】
【０００６】
＜発明の簡単な説明＞
本発明の目的は、上記の問題を克服するために断熱輸送ボックスを提供することである。本発明の目的は、独立請求項に記載されていることを特徴とする断熱輸送ボックスによって達成される。本発明の好ましい実施形態は、従属請求項に開示されている。
【課題を解決するための手段】
【０００７】
本発明は、カバーおよびボックス本体を備える断熱輸送ボックスのアイデアに基づいている。前記ボックス本体は、側壁、端壁、開口部、および底壁を備える。前記側壁の内面は、前記側壁から突出する複数の半柱を備え、前記端壁の内面は、前記端壁から突出する複数の半柱を備え、前記複数の半柱は、前記側壁および前記端壁に沿って垂直に延びる。ボックスは、その対向する縁部にノッチを有する少なくとも１つの隔壁を備え、前記隔壁は、前記開口部の少なくとも一部を覆うように配置されているために前記複数の半柱によって支持され、前記ノッチの少なくとの一部は、前記側壁から突出した前記複数の半柱の間のギャップと整列して空気の流路を形成し、前記隔壁は、２つの水平方向に互いに隣接するスペースを生成するための分離壁を形成するために互いに隣接する複数の半柱の間に配置可能であり、前記隔壁は蓄冷または蓄熱アキュムレータによって形成され、前記蓄冷または蓄熱アキュムレータは相変化材料用の容器を備え、前記容器は、前面、前記容器の後側の背面、および前記前面と前記背面との間の側端部を備え、前記前面及び前記背面のアキュムレータは突起部とネストとを有し、前記アキュムレータの前記突起部は、別のアキュムレータの対応するネストと結合するように配置され、前記アキュムレータの前記ネストは、前記アキュムレータの前記容器の面が前記別のアキュムレータの面に対向するように配置される使用モードを形成するように、前記別のアキュムレータの対応する突起部と結合するように配置される。
【０００８】
本発明の利点は、ボックス本体と輸送物品との間の伝導による望ましくない熱伝達を低減することである。さらに、本発明は、断熱輸送ボックス内における対流空気流を強化する。加えて、蓄冷または蓄熱アキュムレータで形成された隔壁は、ボックス本体内部の様々な位置に配置でき、断熱輸送ボックス内部の制御された温度分布を提供する。
【０００９】
一実施形態では、隔壁を形成する前記蓄冷または蓄熱アキュムレータの前記前面と前記背面の両方で、前記突起部および前記ネストは、前記容器のそれぞれの前記面の第１表面領域にある第１グループが少なくとも２つの突起部および少なくとも１つのネストを有する少なくとも３つの部材を備え、前記容器のそれぞれの前記面の第２表面領域にある第２グループが少なくとも２つのネストと少なくとも１つの突起部を有する少なくとも３つの部材を有するように、グループに配置されてもよい。前記アキュムレータが前記別のアキュムレータと比較して回転された位置にあるように配置されるとき、前記アキュムレータの前記突起部は、空気ギャップモードを形成するように、前記別のアキュムレータの前記突起部に対向して配置される。前記空気ギャップモードは、前記アキュムレータの前記面が前記別のアキュムレータの前記面から離れて配置され、それによって、前記アキュムレータの前記面と前記別のアキュムレータの前記面との間に空気ギャップを提供するモードである。
【００１０】
隔壁を形成する蓄冷または蓄熱アキュムレータの面を互いに離れて配置し、蓄冷または蓄熱アキュムレータの間に空気のギャップを設けることにより、蓄冷または蓄熱アキュムレータとその周囲との間の熱伝達が増加する。
【００１１】
突起部とネストの両方が蓄冷または蓄熱アキュムレータの両側に配置されて隔壁を形成するので、複数の蓄冷または蓄熱アキュムレータをタイトなスタックまたは蓄冷アキュムレータと蓄熱アキュムレータの間にギャップがあるスタックに積み重ねることができる。蓄冷または蓄熱アキュムレータのタイトなスタックは、長期間にわたって蓄えられた冷たさまたは熱を保つことができる。蓄冷または蓄熱アキュムレータの間にギャップがあるスタックは、周囲との熱伝達を増加させる。蓄冷または蓄熱アキュムレータの間にギャップがあるスタックは、例えば、必要な充填時間を短縮するように蓄冷または蓄熱アキュムレータを充填するとき、または輸送物品または一時的に保管された物品を断熱輸送ボックス内で急速に補足的に加熱または冷却する必要があるときに有利である。
【００１２】
別の実施形態では、前記容器の面上で、前記第１表面領域に配置された前記第１グループおよび前記第２表面領域に配置された第２グループは、前記容器の異なる側端部に隣接してもよい。
【００１３】
さらに別の実施形態では、前記容器の面上で、前記第１表面領域に配置されている前記第１グループおよび前記第２表面領域に配置されている第２グループは、前記容器の反対方向の側端部に隣接してもよい。
【００１４】
一実施形態では、前記容器の面上で、前記第１表面領域に配置されている前記第１グループと前記第２表面領域に配置されている第２グループは、互いに平行であってもよい。
【００１５】
別の実施形態では、前記容器の前記前面に突起部がある位置では、前記容器の前記背面にネストがあってもよい。対応して、前記容器の前記前面にネストがある位置では、前記容器の前記背面に突起部があってもよい。
【００１６】
一実施形態では、１つまたは複数の突起部は、横方向の動きに対する支持を作り出すように、隔壁を形成する別の畜冷または蓄熱アキュムレータの前記突起部に対して隔壁を形成する前記畜冷または蓄熱アキュムレータの前記突起部を位置決めするための支持構造を有していてもよい。
【００１７】
別の実施形態では、各面に少なくとも３つの突起部がその支持構造を有していてもよい。
【００１８】
さらに別の実施形態では、前記突起部は、１つまたは複数の他の突起部の支持構造とは異なる形状を有する突起部固有の支持構造を有していてもよい。
【００１９】
さらに別のさらなる実施形態では、１つまたは複数の支持構造は、前記突起部の端面にある中空スペースの凹壁であってもよい。
【００２０】
一実施形態では、１つまたは複数の支持構造は、前記突起部の端面により低いステップおよびより高いステップを有するステップ構造であってもよい。
【００２１】
さらに、別の実施形態では、前記容器のそれぞれの面の前記第２表面領域にある前の実施形態の前記第２グループにおいて、支持構造としてステップ構造を有する前記突起部は、前記２つのネストの間に配置されていてもよい。
【００２２】
さらに、さらに別の実施形態では、前記容器のそれぞれの面の前記第１表面領域にある前の実施形態の前記第１グループにおいて、前記ネストは、２つの前記突起部の間にあってもよい。
【００２３】
さらに、さらに別のさらなる実施形態では、前記第２グループにおいて支持構造としてステップ構造を有する前記突起部が２つの前記ネストの間に配置されていてもよく、および／または前記第１グループにおいて前記ネストが２つの前記突起部の間にあってもよい。前記容器のそれぞれの面の前記第１表面領域で前記第１グループに突起部がある同じ縦線で、前記容器のそれぞれの面の前記第２表面領域で前記第２グループにネストがあってもよい。対応して：前記容器のそれぞれの面の前記第１表面領域で前記第１グループにネストがある同じ縦線で、前記第２表面領域で前記第２グループに突起部があってもよい。
【００２４】
一実施形態では、前記容器のそれぞれの面の前記第１表面領域にある前記第１グループでは、前記ネストは、２つの前記突起部の間にあってもよい。
【００２５】
一実施形態では、前記容器のそれぞれの面の前記第１表面領域で前記第１グループに突起部がある同じ縦線において、前記容器のそれぞれの面の前記第２表面領域で前記第２グループにネストがあってもよい。対応して：前記容器のそれぞれの面の前記第１表面領域で前記第１グループにネストがある同じ縦線で、前記第２表面領域で前記第２グループに突起部があってもよい。
【００２６】
一実施形態では、隔壁を形成する前記蓄冷または蓄熱アキュムレータの前記突起部は、前記アキュムレータが挿入される前記断熱輸送ボックスの底壁または他の壁に関して空気ギャップを提供してもよい。さらに、隔壁を形成する前記蓄冷または蓄熱アキュムレータの前記突起部は、前記蓄冷または蓄熱アキュムレータの表裏面への直接の接触を防ぎ、輸送物品への熱衝撃を防ぐ。例えば、隔壁を形成する前記蓄冷または蓄熱アキュムレータが前記底壁に配置されてもよく、前記輸送物品が前記蓄冷または蓄熱アキュムレータに配置されてもよい。
【００２７】
一実施形態では、前記側壁の前記内面は、前記側壁の長さに沿って複数の半柱を備えていてもよい。そのとき、前記隔壁または前記分離パーティションが、前記複数の半柱の間のギャップから、前記断熱輸送ボックスの長手方向の任意の位置まで配置可能である。次に、生成されたスペースの長さは、前記輸送物品の寸法に基づいて調整可能である。さらに、複数の隔壁を前記複数の半柱の間のギャップに配置して、前記輸送物品のための複数のスペースを作り出すことができる。
【００２８】
一実施形態では、前記断熱輸送ボックスは、その対向する縁部にノッチを有する少なくとも１つの分離パーティションを備えていてもよい。前記分離パーティションは、前記開口部の少なくとも一部を覆うように配置されているため、前記複数の半柱によって支持され、前記ノッチの少なくとも一部は、前記側壁から突出した前記複数の半柱の間の前記ギャップと整列して空気の流路を形成する。前記分離パーティションは、２つの水平方向に隣接する前記スペースを生成するための分離壁を形成するために、互いに隣接する前記複数の半柱の間に配置可能である。前記分離パーティションは、例えば、１つ以上の蓄冷または蓄熱アキュムレータのための、あるいは前記輸送物品のための支持面である。
【００２９】
別の実施形態では、前記断熱輸送ボックスは、２つの実質的に同様の分離パーティションを備えていてもよい。
【００３０】
さらに別の実施形態では、底壁は、複数の実質的に半球形状の突起部を有していてもよい。複数の半球形状の突起部の効果は、底壁と輸送物品との間の物理的接触を低減し、底壁と底壁上に配置された蓄冷または蓄熱アキュムレータとの間の接触を低減することである。
【００３１】
さらに別の実施形態では、複数の実質的に半球形状の突起部の少なくとも一部は、前記底壁の横方向に列をなして並べられてもよく、２つの互いに隣接する列間のギャップと、前記側壁から突出する２つの互いに隣接する前記複数の半柱間の前記ギャップとは、前記ボックス本体の長手方向のほぼ同じ位置にある。これにより、ボックス本体の上部からの空気の流路が底壁に沿って続くことができる。
【００３２】
一実施形態では、前記ボックス本体、前記複数の半柱、および前記複数の実質的に半球形状の突起部は、同じ材料を含んでいてもよく、単一の部品を形成していてもよい。
【００３３】
別の実施形態では、前記側壁から突出している前記複数の半柱の少なくとも一部は、前記底壁から前記ボックス本体の上部まで延びていてもよい。ボックス本体の上部で空気が冷えると、空気は、形成された流路に沿って、ノッチと２つの互いに隣接する半柱間のギャップとによって提供される開口部を通って下向きに流れ、２つの互いに隣接する半柱間のギャップに沿ってさらに下方へ流れる。複数の半柱は、空気流通ガイドとして機能する。
【００３４】
さらに別の実施形態では、前記側壁から突出している前記複数の半柱は、その直径の半分未満だけ前記側壁から突出していてもよい。複数の半柱の外側に湾曲した表面は、ボックス本体とボックス本体内の輸送物品との間に小さな接触領域を提供する。したがって、ボックス本体と温度に敏感な輸送物品との間の伝導による望ましくない熱伝達が低減される。
【００３５】
さらに別の実施形態では、同じ前記分離パーティションを配置して、１つ以上の蓄冷または蓄熱アキュムレータのための支持面を形成し、前記ボックス本体の下部に前記輸送物品のための支持面を形成してもよい。
【００３６】
さらに、蓄冷または蓄熱アキュムレータから形成される前記隔壁は、前記開口部の少なくとも一部を覆うために前記ボックス本体の上部に配置されてもよく、分離壁を形成するために互いに隣接する前記複数の半柱の間に配置可能であり、前記底壁の前記ボックス本体の下部に配置可能である。したがって、断熱輸送ボックス内の必要な温度分布を作成および制御するために必要なさまざまな部品の数が減らされる。
【００３７】
一実施形態では、蓄冷または蓄熱アキュムレータから形成された前記隔壁または前記分離パーティションが前記ボックス本体の下部に配置されているとき、前記ノッチは前記複数の半柱を囲むように前記複数の半柱と整列していてもよい。したがって、断熱輸送ボックスの運搬中は、蓄冷または蓄熱アキュムレータからなる隔壁や分離パーティションは、そのまま残る。
【００３８】
別の実施形態では、前記分離パーティションは、前記縁部から突出するリップ部を備えていてもよく、前記分離パーティションが前記ボックス本体の下部に配置されているとき、前記リップ部は、前記底壁に接触し、前記分離パーティションを支持して、前記底壁と前記分離パーティションとの間に空気の流路を提供する。
【００３９】
さらに別の実施形態では、前記断熱輸送ボックスは、温度監視装置用の取り付けトレイを備えていてもよい。前記取り付けトレイは、分離パーティション、蓄冷または蓄熱アキュムレータから形成された隔壁、蓄冷または蓄熱アキュムレータに取り付けられる。
【００４０】
さらに別の実施形態では、前記断熱輸送ボックスは持ち運び可能であり、運搬部材のための固定点を有していてもよい。
【００４１】
本発明は、断熱輸送ボックスの構造体のアイデアに基づいている。構造体は、断熱輸送ボックスを有し、前記断熱輸送ボックスは、カバーおよびボックス本体を備え、前記ボックス本体は、側壁、端壁、開口部および底壁を備える。前記側壁の内面は、前記側壁から突出している複数の半柱を備え、前記端壁の内面は、前記端壁から突出している複数の半柱を備え、前記複数の半柱は、前記側壁および前記端壁に沿って垂直に延びている。前記断熱輸送ボックスは２つの隔壁を備え、前記隔壁は、その対向する縁部にノッチを有する。前記隔壁は、前記隔壁が前記複数の半柱によって支持された前記開口部の少なくとも一部を覆うように配置可能であり、前記ノッチの少なくとも一部は、前記側壁から突出している前記複数の半柱間のギャップと整列して空気の流路を形成する。蓄冷または蓄熱アキュムレータは前記隔壁を形成しており、前記蓄冷または蓄熱アキュムレータは相変化材料用の容器を備え、前記容器は、前面、前記容器の後側の背面、および前記前面と前記背面の間の側端部を備える。前記前面および前記背面のアキュムレータは、突起部およびネストを有し、前記アキュムレータの前記突起部は、別のアキュムレータの対応する前記ネストと結合されるように配置され、アキュムレータの前記ネストは、アキュムレータの容器の面が前記別のアキュムレータの面に対向するように配置される使用モードを形成するように、前記別のアキュムレータの対応する突起部と結合されるように配置される。前記配置は、２つの前記隔壁を形成している第１および第２の蓄冷または蓄熱アキュムレータを備え、第１のアキュムレータの前記容器の前記面は、第２のアキュムレータの前記容器の前記面に対向するように配置され、２つの水平方向に互いに隣接するスペースを生成するために、第１および第２のアキュムレータが互いに隣接する前記複数の半柱の間に配置される。
【００４２】
一実施形態では、断熱輸送ボックスの構造体は、２つの隔壁を形成している２つの蓄冷または蓄熱アキュムレータをさらに備えていてもよい。前記アキュムレータは前記ボックスの前記開口部を覆うように並べて配置され、前記アキュムレータは前記複数の半柱によって支持されている。
【００４３】
別の実施形態では、構造体において、前記第１のアキュムレータの前記容器内の相変化材料は、前記第２のアキュムレータの前記容器内の相変化材料とは異なる融解／凝固温度を有していてもよい。
【００４４】
さらに別の実施形態では、構造体は、前記底壁に並んで配置された蓄冷または蓄熱アキュムレータから形成された２つの隔壁をさらに有していてもよい。
【００４５】
さらに別の実施形態では、構造体において、前記隔壁の１つは、温度監視装置用の取り付けトレイを備えていてもよく、データを無線で受信機に送ることができるリアルタイム温度監視装置が前記取り付けトレイに取り付けられている。
【００４６】
一実施形態では、構造体は、吸湿部材を備えていてもよい。
【００４７】
別の実施形態では、前記断熱輸送ボックスは、ワクチンを輸送するために使用されてもよい。好ましくは、前記断熱輸送ボックス１がワクチンの輸送に使用される場合、相変化材料は、−２℃〜０℃の温度範囲で融解温度を有する。
【００４８】
さらに別の実施形態では、前記断熱輸送ボックスは、生鮮食品の一時的な保管に使用されてもよい。 好ましくは、前記断熱輸送ボックス１が生鮮食品の一時的な保管に使用される場合、相変化材料は、−２℃〜２℃の温度範囲で融解温度を有する。
【００４９】
さらに別のさらなる実施形態では、構造体は、相変化材料を含む１つまたは複数の蓄冷または蓄熱アキュムレータを備えていてもよい。前記分離パーティションは、１つまたは複数の蓄冷または蓄熱アキュムレータのための支持面を形成するか、または前記輸送物品の凍結または過熱を防止する分離壁を提供してもよい。
【００５０】
一実施形態では、構造体は、下面を形成する前記底壁に配置された２つの分離パーティションと、上面を形成する前記開口部の少なくとも一部を覆うように配置された２つの分離パーティションとを備えていてもよく、前記下面と前記上面の間のスペースは、２つの隔壁を形成する第１および第２の蓄冷または蓄熱アキュムレータによって前記ボックス本体の横方向において２つのスペースに分割されており、前記第１のアキュムレータの前記容器の前記面が前記第２のアキュムレータの前記容器の前記面に対向するように配置されており、および前記分離パーティションの少なくとも１つは、温度監視デバイス用の取り付けトレイを備え、受信機にデータを無線送信できるリアルタイム温度監視デバイスが前記取り付けトレイに取り付けられている。
【００５１】
別の実施形態では、装置は、第２の断熱輸送ボックスをさらに備えていてもよい。前記第２の断熱輸送ボックスでは、端壁間の距離および側壁間の距離の１つは、前記断熱輸送ボックスにおける前記端壁間の距離および前記側壁間の距離の１つよりも小さい。構造体は、少なくとも３つの隔壁を備える。前記隔壁は、前記隔壁が各側壁および各端壁の２つの半柱によって少なくとも支持される前記第２の断熱輸送ボックスの前記開口部を覆うように配置可能である。前記隔壁は、前記第２の断熱輸送ボックスの前記底壁を覆うように配置することもできる。
【図面の簡単な説明】
【００５２】
以下において、本発明は、添付の図面を参照して好ましい実施形態によって詳細に説明される。
【図１】図１は、断熱輸送ボックスを示す。
【図２】図２は、側壁のないボックス本体を示す。
【図３】図３は、ボックス本体の平面図を示す。
【図４】図４は、側壁のないボックス本体を示す。
【図５】図５は、側壁のないボックス本体を示す。
【図６】図６は、側壁のないボックス本体を示す。
【図７】図７は、断熱輸送ボックスの断面図を示す。
【図８】図８は、断熱輸送ボックス内の構造を示す
【図９】図９は、蓄冷または蓄熱アキュムレータを有する隔壁を示す。
【図１０】図１０は、カバーなしの断熱輸送ボックスを示す。
【図１１】図１１は、カバーなしの断熱輸送ボックスを示す。
【図１２】図１２は、カバーなしの断熱輸送ボックスを示す。
【図１３】図１３は、カバーおよび側壁のない断熱輸送ボックス内の構造を示す。
【図１４】図１４は、断熱輸送ボックスを示す。
【図１５】図１５は、隔壁を形成する蓄冷または蓄熱アキュムレータの前面を示す。
【図１６】図１６は、図１５に示す蓄冷または蓄熱アキュムレータの長い右側の側面図を示す。
【図１７】図１７は、図１５に示す蓄冷または蓄熱アキュムレータの短い下側の側面図を示す。
【図１８】図１８は、図１５の蓄冷または蓄熱アキュムレータの特に前面を示す斜視図を示す。
【図１９】図１９は、平面的に１８０度回転させたときの図１５−１８の蓄冷または蓄熱アキュムレータの特に背（後）面が見える斜視図を示す。
【図２０】図２０は、図１８−１９の組み合わせに似ているが、図２０は、２つの同様の蓄冷または蓄熱アキュムレータを示しており、２つのうちのより上にある第２の蓄冷または蓄熱アキュムレータが水平軸に対して１８０度反転されて、第２の蓄冷または蓄熱アキュムレータの後側を示している。
【図２１】図２１は、図１５に示すように、２つの同様の蓄冷または蓄熱アキュムレータの前面を示す。
【図２２】図２２は、２つの同様の蓄冷または蓄熱アキュムレータを示しており、２つのうちのより上にある第２の蓄冷または蓄熱アキュムレータが垂直軸に対して１８０度反転されて、第２の蓄冷または蓄熱アキュムレータの後側を示している。
【図２３】図２３は、すでに凍結／加熱された蓄冷または蓄熱アキュムレータがギャップのないタイトなスタックである使用モードを示す。
【図２４】図２４は、スタックが２つの蓄冷または蓄熱アキュムレータの間にギャップを有する凍結／加熱モード（空気ギャップモード）を示す。
【発明を実施するための形態】
【００５３】
＜発明の詳細な説明＞
図１は、断熱輸送ボックスを示す。断熱輸送ボックス１は、カバー２とボックス本体３とを備える。ボックス本体３は、カバー２で閉じられている。ボックス本体３は、長手方向Ｌの側壁４、横方向ｗの端壁５、開口部６および底壁７を備える。ボックス本体３の上縁部は、開口部６を取り囲むフランジ８を備え、ボックス本体３が閉じられると、カバー２の側壁がフランジ８を取り囲む。
【００５４】
ボックス本体３の側壁の内面は、側壁４から突出する複数の半柱９ａを備える。端壁５の内面は、端壁５から突出する複数の半柱９ｂを備える。複数の半柱９ａ−ｂは、側壁４に沿っておよび端壁５に沿って垂直に延びており、内側に突出する。互いに隣接する２つの半柱９ａ−ｂの間には、実質的に平坦な壁部分を有するギャップ１０がある。
【００５５】
ボックス１は、その対向する縁部１３にノッチ１２を有する少なくとも１つの分離パーティション１１を備える。分離パーティション１１は、長方形の形状である。分離パーティション１１は、開口部６の少なくとも一部を覆うように配置されるため、分離パーティション１１は、複数の半柱９ａ−ｂによって支持される。分離パーティション１１は、複数の半柱の端部１４に載っている。ノッチ１２の少なくとも一部は、側壁４から突出する複数の半柱９ａ間のギャップ１０ａと整列して、空気の流路を形成する。
【００５６】
伝導による熱伝達は、ボックス本体３と輸送物品１５との間の物理的接触を介して発生する。半柱９ａ−ｂの外向きの曲面は、ボックス本体３内にボックス本体３と輸送物品１５の間の小さな接触領域を提供する。したがって、ボックス本体３と温度に敏感な輸送物品１５との間の伝導による不要な熱伝達が低減される。
【００５７】
明確にするために、周囲温度は、断熱輸送ボックス１の内部において必要な温度よりも低くでき、それにより、不要な熱伝達が外向きになる。これにより、ボックス１は、周囲の低温により冷蔵された輸送物品１５が凍結することを防止できる。周囲温度は、断熱輸送ボックス１の内部において必要な温度よりも高くなる可能性があり、それにより、不要な熱伝達が内向きになる。
【００５８】
蓄冷アキュムレータ１６は、ボックス本体３の上部に複数の半柱９ａ−ｂによって支持されている分離パーティション１１に配置されていることが好ましい。空気は、蓄冷アキュムレータ１６の周囲で冷えると、形成された流路に沿って、ノッチ１２と２つの互いに隣接する半柱間のギャップ１０とによって提供される開口を通って下向きに流れ、さらに２つの互いに隣接する半柱間のギャップ１０に沿って下に流れる。複数の半柱９ａは、空気流通ガイドとして機能する。形成された流路は、断熱輸送ボックス１内における対流空気の流れを強化する。輸送物品１５とボックス本体３の側壁４との間に冷却された空気が流れることも有利な点である。
【００５９】
図２は、ボックス本体３の長手方向における断面を示す側壁のないボックス本体３を示す。実施形態では、ボックス本体３は、２つの実質的に同様の分離パーティション１１を備える。平行に配置された分離パーティション１１は、ボックス本体３の開口部６を覆う。分離パーティション１１は、分離パーティション１１を容易に取り扱うための指用の穴１７を有する。
【００６０】
図３は、ボックス本体３の上面図を示す。図２−８に示す実施形態では、ボックス本体３の底壁７は、複数の実質的に半球形状の突起部１８を有する。複数の半球形状の突起部１８の効果は、それらが底壁７と輸送物品１５との間の物理的接触を低減し、底壁７と底壁７上に配置された蓄冷または蓄熱アキュムレータ１６との間の接触を低減することである。
【００６１】
実施形態では、複数の半球形状の突起部１８は、底壁７の横方向ｗに列を成して整列している。２つの互いに隣接する列１９間のギャップと、側壁４から突出する２つの互いに隣接する半柱間のギャップ１０ａとは、ボックス本体３の長手方向Ｌにおいて実質的に同じ位置に配置されている。ギャップ１０ａ、１９ａが側壁４と底壁７の接合部で一致するため、ボックス本体３の上部からの空気の流路は底壁７に沿って続く。さらに、横方向ｗに挿入された分離パーティション１１または隔壁２２が底壁７に到達可能である。
【００６２】
図３には、複数の半球形状の突起部１８が底壁７の長手方向Ｌに列をなして並べられた別の実施形態も示されている。２つの互いに隣接する列間のギャップ１９ｂと端壁から突出する２つの互いに隣接する半柱間のギャップ１０ｂとは、ボックス本体３の横方向において実質的に同じ位置に配置されている。ギャップ１０ｂ、１９ｂは端壁５と底壁７の接合部で一致するため、ボックス本体３の上部からの空気の流路は底壁７に沿って水平に続く。
【００６３】
図において、ボックス本体３、複数の半柱９ａ−ｂおよび複数の実質的に半球形状の突起部１８は、同じ材料を含み、単一の部品を形成する。複数の半柱９ａ−ｂおよび複数の実質的に半球形状の突起部１８はまた、個別の要素を有し得る。複数の半柱９ａ−ｂは複数の半柱を備えるプレートで形成でき、プレートはボックス本体３に取り付けられる。複数の半柱９ａ−ｂはまた、ボックス本体３に個別に取り付けられた個別の単一の部品を有することもできる。半球形状の突起部１８は、複数の半球形状の突起部１８を有するプレートで形成でき、プレートはボックス本体３に取り付けられる。半球形状の突起部１８は、ボックス本体３に個別に取り付けられた個別の単一の部品を有することもできる。
【００６４】
一実施形態では、側壁４から突出する半柱９ａは、その直径の半分未満だけ側壁４から突出する。
【００６５】
一実施形態では、側壁４から突出する複数の半柱９ａの少なくとも一部は、底壁７からボックス本体３の上部まで延びる。
【００６６】
図４−７は、１つまたは複数の分離パーティション１１を配置する異なる実施形態を示す。実施形態では、同じ分離パーティション１１は、１つまたは複数の蓄冷または蓄熱アキュムレータ１６の支持表面を形成するように配置可能であり、ボックス本体３の下部において輸送物品１５の支持表面を形成し、水平方向に隣接する２つのスペース２０ａ−ｂを作成するための分離壁を形成する。輸送物品１５のために−５０℃〜＋８５℃の温度範囲をカバーする異なるタイプの輸送装置を形成できることが、断熱輸送ボックス１の利点である。分離パーティション１１の材料を製造するのに適した材料の例は、アルミニウムおよびプラスチックである。
【００６７】
実質的に同様の分離パーティションという用語は、分離パーティションがボックス本体３の下部の底壁より上に設置されているときに、同様の外形寸法を有し、流路を形成するために必要であって半柱の外面を囲むために必要な同様のノッチを有する分離パーティションを意味する。
【００６８】
実施形態において、分離パーティション１１は、縁部１３から突出するリップ部２１を備える。分離パーティション１１がボックス本体３の下部に配置されると、図４、図６および図７に示すように、リップ部２１は、底壁７に接触し、底壁７と分離パーティション１１との間に流路を提供している分離パーティション１１を支持する。妨害されない空気の流路を可能にするために、分離パーティション１１のノッチ１２はリップ部２１を備えていない。
【００６９】
実施形態では、分離パーティションは、３つの縁部１３に１１個のノッチ１２を有する。
【００７０】
図に示されている分離パーティション１１のノッチ１２は、分離パーティションが底壁７の上方でボックス本体３の下部に取り付けられているとき、半柱９ａ−ｂの外面を囲む湾曲形状を有する。
【００７１】
図４は、２つの分離パーティション１１を備える側壁のないボックス本体３を示す。分離パーティション１１は、ボックス本体３の上部およびボックス本体３の下部に組付けられている。ボックス本体３の上部に組付けられた分離パーティション１１は、１つ以上の蓄冷または蓄熱アキュムレータ１６のための支持面を形成する。ボックス本体３の下部に組付けられた分離パーティション１１は、底壁７に支持され、輸送物品１５（図示せず）の支持面を形成する。分離パーティション１１はまた、底壁７から輸送物品１５への伝導による直接の熱伝達も防止する。さらに、ボックス本体３の下部が底壁７に配置された１つ以上の蓄冷または蓄熱アキュムレータ１６を備える場合、底壁７に支持された分離パーティション１１は、輸送物品１５の凍結または過熱を防止する分離壁を提供する。
【００７２】
図５は、ボックス本体３の長手方向Ｌにおける断面を示す側壁のないボックス本体３を示す。ボックス本体３は、ボックス本体３の下部に組付けられた２つの分離パーティション１１を備える。分離パーティション１１は、リップ部２１が上向きで底壁７の突起部１８上に載っている。分離パーティション１１は、輸送物品１５（図示せず）の支持面を形成する。
【００７３】
図６は、ボックス本体３の側壁なしで長手方向Ｌにおける断面を示すボックス本体３を示す。ボックス本体３は、ボックス本体３の下部に組付けられた２つの分離パーティション１１を備える。分離パーティション１１のリップ部２１は、底壁７に接触し、底壁７と分離パーティション１１との間の流路を提供している分離パーティション１１を支持する。分離パーティションは、輸送物品１５の支持面を形成する。さらに、１つ以上の蓄冷または蓄熱アキュムレータ１６が底壁７に配置される場合、底壁７に支持された分離パーティション１１は、輸送物品１５の凍結または過熱を防止する分離壁を提供する。
【００７４】
図７は、断熱輸送ボックス１を示しており、断熱輸送ボックス１の長手方向Ｌにおける断面を示している側壁なしのボックス本体３およびカバー２が示されている。
【００７５】
断熱輸送ボックス１は、複数の実質的に同様の分離パーティション１１を備える。２つの分離パーティション１１は、ボックス本体３の上部に組付けられ、１つ以上の蓄冷または蓄熱アキュムレータ１６（図示せず）の支持面を形成する。
【００７６】
２つの分離パーティション１１は、ボックス本体３の下部に組付けられ、底壁７を覆っている。分離パーティション１１のリップ部２１は、底壁７に接触し、分離パーティション１１を支持し、底壁７と分離パーティション１１との間に流路を形成している。分離パーティション１１は、輸送物品１５（図示せず）のための支持面を形成する。さらに、１つ以上の蓄冷または蓄熱アキュムレータ１６が底壁７に配置される場合、底壁７に支持された分離パーティション１１は、輸送物品１５の凍結または過熱を防止する分離壁を提供する。
【００７７】
２つの分離パーティション１１は互いに向かい合って組付けられ、１つ以上の蓄冷または蓄熱アキュムレータ１６の囲いを形成する。２つの分離パーティション１１を備えるこの囲いは、ボックス本体３の長手方向Ｌにおいて２つの互いに隣接するスペース２０ａ−ｂを作り出す分離壁を形成する。
【００７８】
分離パーティション１１は、側壁４から突出する２つの互いに隣接する複数の半柱９ａの間で垂直方向にスライド可能である。組付けられると、分離パーティション１１は、２つの対向する側壁４の間に延びて分離壁を形成し、それにより、ボックス本体３に２つの互いに隣接するスペース２０ａ−ｂを作成する。第１の側壁４から突出する複数の半柱９ａは、分離パーティションの第１の端部を支持し、第２の側壁４から突出する複数の半柱９ａは、分離パーティション１１の第２の端部を支持する。複数の半柱９ａは、分離パーティション１１を直立姿勢に保つ。
【００７９】
相変化材料を含むアキュムレータ１６は、断熱輸送ボックス１における受動的な冷却または加熱を提供するのに有利である。特定の温度で融解して凝固する高い融解熱を有する相変化材料は、大量のエネルギーを蓄積および放出できる。断熱輸送ボックス１に適した蓄冷または蓄熱アキュムレータは、−５０℃〜＋８５℃の温度範囲でその融解／凝固温度を有する相変化材料を含む。
【００８０】
輸送物品１５の輸送中または輸送物品１５の一時保管中に、断熱輸送ボックス１は、異なる融解／凝固温度を有する相変化材料を含む蓄冷アキュムレータ１６を備えることができる。断熱輸送ボックス１はまた、異なる融解／凝固温度を有する相変化材料を含む蓄熱アキュムレータ１６を備えることもできる。異なる温度で冷気を提供する蓄冷アキュムレータ１６によって、断熱輸送ボックス１の内部の温度分布を作成および制御することができる。異なる温度で熱を提供する蓄熱アキュムレータ１６によって、断熱輸送ボックス１の内部の温度分布を作成および制御することができる。
【００８１】
例えば、図７に示す配置は、２つの互いに隣接するスペース２０ａ−ｂを有する。第１のスペース２０ａの温度は、第２のスペース２０ｂの温度よりも５℃〜＋３５℃高くできる。これは、第１のスペース２０ａの上下により高い融解／凝固温度を有する蓄冷／蓄熱アキュムレータ１６を提供し、第２のスペース２０ｂの上下により低い融解／凝固温度を有する蓄冷／蓄熱アキュムレータを提供することによって達成できる。
【００８２】
断熱輸送ボックス１の冷気量または熱量は、充填量とボックス内部に充填している熱量に依存する。断熱輸送ボックス１の内面の形状は、実質的に長方形の梱包スペースを提供する。実質的に長方形の梱包スペースは、梱包スペースの効果的な使用を可能にし、これにより、高い充填率および大きな収容能力を提供する。梱包作業が簡単になり、時間を節約することもできる。
【００８３】
断熱輸送ボックス内の冷気循環の配置と、ボックス本体３と輸送物品１５との間の伝導による熱伝達の減少とにより、ボックス本体３の厚さが減少する。これによりボックス内の容量が増加する。したがって、断熱輸送ボックス１は、輸送量をより効率的に使用して、所与の量の物品を輸送するために必要なスペースを少なくする。ボックス本体３の厚さが減少すると、断熱輸送ボックスの重量も減少する。これは、ボックス１が人によって持ち運ばれるときに重要である。
【００８４】
コレラワクチンや不活化ポリオワクチンなど、多くのワクチンは凍結に敏感であり、凍結のリスクを最小限に抑える必要がある。断熱輸送ボックス１内の分離パーティション１１は、蓄冷アキュムレータ１６と輸送物品１５との直接の接触を防止し、これにより熱衝撃を防止する。＋２℃〜＋８℃の範囲の動作温度を有する相変化材料を含むアキュムレータ１６を使用すると、凍結も防止される。好ましくは、断熱輸送ボックス１がワクチンの輸送に使用される場合、相変化材料は−２℃〜０℃の温度範囲での融解温度を有する。
【００８５】
断熱輸送ボックスは、１つ以上の隔壁２２を備えていてもよい。隔壁２２は個別の部品であり、その端部は、側壁４から突出する互いに隣接する複数の半柱９ａの間でスライド可能である。組付けられると、隔壁２２は２つの対向する側壁４の間に延び、２つの互いに隣接するスペースを作成する。第１の側壁４から突出する複数の半柱９ａは、隔壁２２の第１の端部を支持し、第２の側壁４から突出する複数の半柱９ａは、隔壁２２の第２の端部を支持する。複数の半柱９ａは、隔壁を直立状態に保つ。隔壁２２は、例えば板材で形成されている。板材は、例えば発泡ポリプロピレン（ＥＰＰ）である。
【００８６】
断熱輸送ボックス１は、蓄冷アキュムレータまたは蓄熱アキュムレータＡ１、Ａ２から形成される１つ以上の隔壁２２、２２ｂを備えていてもよい。蓄冷または蓄熱アキュムレータである隔壁２２、２２ｂは、分離パーティション１１の代わりに、または１つ以上の分離パーティション１１と共に、断熱輸送ボックス１内で使用されてもよい。代替タイプの隔壁２２、２２ｂは、図９および１５−２４に示される。
【００８７】
図９を参照して、断熱輸送ボックス１は、蓄冷アキュムレータまたは蓄熱アキュムレータ１６を備える隔壁２２を備えていてもよく、蓄冷アキュムレータまたは蓄熱アキュムレータ１６は、少なくとも一方の側面に突出部２７を有する。蓄冷アキュムレータまたは蓄熱アキュムレータ１６を備える隔壁２２の例が図９に示される。隔壁２２を形成する蓄冷または蓄熱アキュムレータ１６は、好ましくはその外面に突出部２７を有する。突出部２７は、一方の側面のみに配置されてもよいし、両側面に配置されてもよい。突出部２７が側面の両方に配置されている場合、突出部２７は、側面に応じて異なるサイズおよび位置を含むことが好ましい。このように、第１の側面は、第２の側面が有する突出部２７よりも高い突出部２７を有する。好ましくは、第２の側面が有する突出部２７は、第１の側面の突出部２７の高さの４０〜６０％の高さを有する。第１および第２の側面の突出部２７は、好ましくは、隔壁２２を形成するために使用される２つのアキュムレータが、第１のアキュムレータの表面の第１の側面が第２のアキュムレータの第２の側面に面するように積み重ねられるときなどに、異なる位置を有する。アキュムレータの突出部２７は、空気の流路が隔壁２２間に形成されるように少なくとも部分的に互いに接触する。空気の流路は、積み重ねられたときに隔壁２２と周辺空気との間の熱伝達を増加させる。蓄冷アキュムレータまたは蓄熱アキュムレータは、例えば内部に相変化材料を含む。相変化材料は、例えば液体ポリマーである。
【００８８】
断熱輸送ボックス１はまた、断熱輸送ボックスの温度を記録するための連続温度監視装置を備えていてもよい。温度監視は、データを無線で受信機に送信できるリアルタイムの監視装置２３によって行われることが好ましい。受信機は、例えば、ネットワークサーバまたはクラウドであってもよい。断熱輸送ボックス１は、便宜上、その外面に取り外し可能なディスプレイを備えていてもよい。温度監視装置２３は、好ましくは、温度監視装置２３のための取り付けトレイ２４を備える分離パーティション１１、または温度監視装置２３のための取り付けトレイ２４を備える隔壁２２に取り付けられる。温度監視装置２３はまた、輸送中に輸送物品１５のごく近傍にあり得る。蓄冷アキュムレータまたは蓄熱アキュムレータ１６を支持する分離パーティション１１または隔壁２２に温度監視装置２３を取り付けることの効果は、断熱輸送ボックス１内の温度変化に関する情報を、変化が輸送物品１５に到達する前に提供することである。
【００８９】
断熱輸送ボックス１はまた、個別の吸湿部材を備えていてもよい。吸湿部材は、例えば、吸湿ポリマーマットを備えることができる。吸湿部材は、好ましくは底壁７に配置されるか、または輸送物品１５を取り囲むように配置される。
【００９０】
図８は、断熱輸送ボックス１の構造を示す。断熱輸送ボックス１は、カバー２とボックス本体３とを備える。断熱輸送ボックス１は、持ち運び可能であり、運搬部材２６のための固定点２５を備える。運搬部材は、ボックス本体３の両端壁５に設けられた取っ手である。
【００９１】
ボックス本体３の下部は、底壁７の上方に平行に配置され、底壁７に接触するリップ部２１によって支持される２つの分離パーティション１１を備える。分離パーティション１１は、ボックス本体３に配置された輸送物品１５を支持する。分離パーティション１１は、ボックス本体３の下面を形成する。
【００９２】
ボックス本体３の上部は、分離パーティション１１と、蓄冷アキュムレータまたは蓄熱アキュムレータから形成される隔壁２２とを備える。分離パーティション１１と隔壁２２は、側壁と端壁の複数の半柱で支持されている。分離パーティション１１および隔壁２２は、ボックス本体３の上面を形成する。上面はまた、２つの分離パーティション１１を備えていてもよい。
【００９３】
ボックス本体３内の下面と上面との間のスペースは、隔壁２２によって２つのスペース２０ａ−ｂに分割されている。隔壁２２は、互いに重ね合わされた２つの隔壁２２を備える。隔壁２２は、蓄冷アキュムレータまたは蓄熱アキュムレータから形成されている。スペース２０ａ−ｂは同じ水平レベルにある。各スペース２０ａ−ｂは、輸送物品１５を備える。
【００９４】
分離パーティション１１は、温度監視装置２３のための取り付けトレイ２４を備える。
【００９５】
蓄冷または蓄熱アキュムレータから形成された隔壁２２は、相変化材料を含む。ボックス本体３の横方向ｗに一緒に置かれて隔壁２２を形成する蓄冷または蓄熱アキュムレータは、異なる融解／凝固温度を有する。
【００９６】
この配置は、ボックス本体３（図示せず）の上部の分離パーティション１１上に置かれた蓄冷または蓄熱アキュムレータを備える。
【００９７】
図１０−１３は、断熱輸送ボックス１が１つ以上の隔壁２２ｂを備え、蓄冷または蓄熱アキュムレータＡ１、Ａ２が隔壁２２ｂを形成している実施形態を示す。隔壁２２ｂ、すなわち、蓄冷または蓄熱アキュムレータＡ１、Ａ２は、断熱輸送ボックス１の開口部６の少なくとも一部を覆うように配置されるので、隔壁２２ｂは、複数の半柱９ａ−ｂによって支持される。隔壁２２ｂは、複数の半柱の端部１４に載っている。隔壁２２ｂの対向する縁部１３のノッチ１２の少なくとも一部は、側壁４から突出する複数の半柱９ａ間のギャップ１０ａと整列して空気の流路を形成する。
【００９８】
図１１に示すように、同じ隔壁２２ｂを互いに隣接する複数の半柱９ａ間のギャップ１０ａ間に配置して、ボックス本体３の長手方向Ｌに水平方向に隣接する２つのスペース２０ｃ−ｄを作成するための分離壁を形成する。
【００９９】
図に示すように、側壁４の内面は、側壁４の長さに沿って複数の半柱を備える。そのとき、隔壁２２、２２ｂおよび／または分離パーティション１１は、断熱輸送ボックス１の長手方向Ｌの任意の位置において複数の半柱９ａ間のギャップ１０に配置することができる。そのとき、作成されたスペースの長さは、輸送物品１５の寸法に基づいて調整可能である。
【０１００】
隔壁２２ｂを形成する蓄冷または蓄熱アキュムレータＡ１、Ａ２は、相変化材料のための容器Ｃ１を備え、前記容器は、前面ＦＦ１、容器Ｃ１の後側にある背面ＢＦ１、および前面ＦＦ１と背面ＢＦ１の間にある側端部ＳＥ１−ＳＥ４を備える。前面ＦＦ１および背面ＢＦ１の蓄冷または蓄熱アキュムレータＡ１は、突起部ＰＲ１１１−ＰＲ１１３、ＰＲ１２１−ＰＲ１２３およびネストＮ１１１−Ｎ１１３、Ｎ１２１−Ｎ１２３を有する。別のアキュムレータＡ２の対応するネストＮ２２１−Ｎ２２３と結合するように配置されているアキュムレータＡ１の前記突起部ＰＲ１１１−ＰＲ１１３と、前記別のアキュムレータＡ２の対応する突起部と結合するように配置されているアキュムレータＡ１の前記ネストＮ１１１−Ｎ１１３とは、アキュムレータＡ１の容器Ｃ１の面ＦＦ１が使用モードを形成するように、前記別のアキュムレータＡ２の面ＢＦ２に接触するように配置される。
【０１０１】
図１１では、互いに隣接する複数の半柱９ａ間の１つのギャップ１０ａに２つの蓄冷または蓄熱アキュムレータＡ１、Ａ２が設けられ、２つの蓄冷または蓄熱アキュムレータＡ１、Ａ２は、アキュムレータＡ１の前面ＦＦ１が別のアキュムレータＡ２の背面ＢＦ２に対向するように配置される使用モードで配置されている。作成されたタイトな蓄冷または蓄熱アキュムレータＡ１、Ａ２のスタックは、格納された蓄冷または蓄熱アキュムレータを長時間にわたって保持できる。
【０１０２】
図１２は、底壁７上に並んで配置された２つの隔壁２２ｂを示す。隔壁２２ｂがボックス本体３の下部に配置されると、ノッチ１２は、複数の半柱９ａ、ｂと整列して、複数の半柱９ａ、ｂを取り囲む。隔壁２２ｂ、すなわち蓄冷または蓄熱アキュムレータは、全ての縁部１３にノッチ１２を有する。図１０−２４に示すように、ノッチ１２の数およびサイズは、縁部１３に応じて変化する。例えば、ボックス１の上部から端壁５に沿って空気の流路を形成するように配置されるべきノッチ１２は、ボックス１の下部で端壁５の複数の半柱９ｂを囲むように配置されたノッチ１２よりも小さくすることができる。
【０１０３】
図１３の構造体は、隔壁２２ｂを形成する複数の蓄冷または蓄熱アキュムレータを備える。２つの隔壁２２ｂは、底壁７を覆うように底壁７上に並んで配置されている。２つの隔壁２２ｂは、互いに隣接する複数の半柱９ａの間の１つのギャップ１０ａに設けられており、隔壁２２ｂを形成している蓄冷または蓄熱アキュムレータは、使用モードで配置されている。ギャップ１０ａに直立して配置された隔壁２２ｂは、底壁７上に並んで配置された隔壁２２ｂによって支持されている。すなわち、直立に配置された蓄冷または蓄熱アキュムレータの側端部ＳＥ４は、底壁７に配置された蓄冷または蓄熱アキュムレータの面に対向している。そのとき、開口部６は、上下に配置された２つの隔壁２２ｂのセットと、さらなる隔壁２２ｂとで覆われている。２つの隔壁２２ｂのセットは、使用モードに配置された２つの蓄冷または蓄熱アキュムレータを備える。さらなる隔壁２２ｂは、開口部６を覆うために２つの隔壁２ｂのセットと並んで配置されている。さらなる隔壁２２ｂは、１つの蓄冷または蓄熱アキュムレータまたは使用モードで配置された２つの蓄冷または蓄熱アキュムレータを備える１セットの隔壁２２ｂを備えることができる。明確にするために、さらなる隔壁２２ｂは図１３から省略されている。
【０１０４】
図１３に示される構造体は、輸送中に異なる温度範囲を必要とする輸送物品のための輸送の構造体を提供する。蓄冷または蓄熱アキュムレータが蓄冷アキュムレータである場合、構造体において、底壁に配置された蓄冷アキュムレータが、底部を通って伝達される熱が輸送物品に到達するのを防ぐ。直立した蓄冷アキュムレータは、ボックス内に個別のスペースを提供する。スペースの温度範囲は、ボックスの下部と上部および直立した隔壁に対して、異なる融解温度を有する蓄冷アキュムレータを選択することによって調整できる。開口部を覆うように配置された蓄冷アキュムレータは、形成された空気の流路に沿って下向きに流れる冷気流を提供する。
【０１０５】
図１４は、ボックス本体３の底壁７の外面およびカバー２の外上面を示す断熱輸送ボックスを示す。カバー２の外上面は、延長部分２８および外壁の外面を備える。カバー２の外上面は延長部分２８を有し、底壁７の外面は凹部２９を有する。カバー２の延長部分２８は、底壁７の外面の対応する凹部２９と結合するように配置されている。２つの断熱輸送ボックス１を上下に積み重ねると、結合が横方向の動きに対して支持を提供する。延長部分２８は、平坦で浅いことが好ましい。
【０１０６】
蓄冷または蓄熱アキュムレータである図１０−１３に示す隔壁２２ｂが図１５−２４に示され、以下に詳細に説明されている。
【０１０７】
特に図１５−１９、図２０、２２−２４の下部、および図２１の右側を参照すると、相変化材料ＰＣＭ用の容器Ｃ１を備える蓄冷アキュムレータＡ１などのアキュムレータＡ１がある。ＰＣＭは、例えば、水、ゲル、グリコール、アンモニウム、パラフィンまたは粉末であり得るか、またはそれらを含み得る。蓄冷アキュムレータの場合、材料は凍結し、凍結状態から融解する能力を有する。蓄熱アキュムレータの場合、容器内の材料は熱を蓄えたり放出したりする能力を有する。好ましくは、容器Ｃ１はプラスチック容器である。
【０１０８】
図１５−２４に示すように、蓄冷または蓄熱アキュムレータＡ１、Ａ２は、その対向する縁部１３にノッチ１２を有する。蓄冷または蓄熱アキュムレータＡ１、Ａ２、すなわち隔壁２２ｂは、断熱輸送ボックス１の開口部６の少なくとも一部を覆うように配置されている。そのため、蓄冷または蓄熱アキュムレータＡ１、Ａ２は、複数の半柱９ａ−ｂによって支持されている。蓄冷または蓄熱アキュムレータＡ１、Ａ２は、複数の半柱の端部１４に載っている。ノッチ１２の少なくとも一部は、側壁４から突出した複数の半柱９ａ間のギャップ１０ａと整列して空気の流路を形成している。
【０１０９】
図１５−２４に示す蓄冷または蓄熱アキュムレータＡ１、Ａ２のノッチ１２は、蓄冷または蓄熱アキュムレータＡ１、Ａ２が底壁７上でボックス本体３の下部に設置されているとき、半柱９ａ−ｂの外面を取り囲む湾曲形状を有する。
【０１１０】
蓄冷または蓄熱アキュムレータＡ１、Ａ２は、側壁４から突出している２つの互いに隣接する半柱９ａの間で垂直方向にスライド可能である。組付けられると、蓄冷または蓄熱アキュムレータＡ１、Ａ２は、分離壁を形成する２つの対向する側壁４の間に延び、それによって、ボックス本体３に２つの隣接するスペース２０ｃ−ｄを作成する。第１の側壁４から突出する複数の半柱９ａは、蓄冷または蓄熱アキュムレータＡ１、Ａ２の第１の端部を支持し、第２の側壁４から突出する複数の半柱９ａは、蓄冷または蓄熱アキュムレータＡ１、Ａ２の第２の端部を支持する。複数の半柱９ａは、蓄冷または蓄熱アキュムレータＡ１、Ａ２を直立姿勢に保つ。好ましくは、タイトなスタックである、すなわちアキュムレータの容器の面は、互いに隣接する２つの半柱間にフィットする２つの積み重ねられた蓄冷または蓄熱アキュムレータを備える別のアキュムレータの面に当たるように配置されている。
【０１１１】
空気は、蓄冷または蓄熱アキュムレータＡ１、Ａ２、つまり隔壁２２ｂの周囲で冷えると、ノッチ１２と２つの互いに隣接する半柱９ａ、９ｂ間のギャップ１０とによって形成された開口を通って、形成された流路に沿って下に移動し、２つの互いに隣接する半柱間のギャップ１０に沿ってさらに下に移動する。
【０１１２】
第１のアキュムレータＡ１の容器Ｃ１は、前面ＦＦ１、容器Ｃ１の後側の背面ＢＦ１、および前面ＦＦ１と背面ＢＦ１の間の側端部ＳＥ１−ＳＥ４を有する。
【０１１３】
前面ＦＦ１および背面ＢＦ１上に、容器Ｃ１は、突起部およびネストを有する。
【０１１４】
容器Ｃ１の前ＦＦ１面には３つの突起部ＰＲ１１１−ＰＲ１１３があるため、突起部ＲＰ１１１、ＰＲ１１２は第１（図１５および１８では下）表面領域ＳＡ１１１にあり、第３の突起部ＰＲ１１３は第２（図１５および１８では上）表面領域ＳＡ１１２にある。また、３つのネスト（凹部）があるため、ネストＮ１１１−Ｎ１１２は第２表面領域ＳＡ１１２にあり、第３ネストＮ１１３は第１表面領域ＳＡ１１１にある。
【０１１５】
図１９を参照すると、アキュムレータＡ１の背（後）面ＢＦ１が示されている。これに対応して、第１のアキュムレータＡ１の容器Ｃ１の背（後）面ＢＦ１には、３つの突起部ＰＲ１２１−ＰＲ１２３があり、そのため、突起部ＰＲ１２１、ＰＲ１２２は、背面ＢＦ１の第２（図１９では下）表面領域ＳＡ１２２にあり、第３の突起部ＰＲ１２３は、背面ＢＦ１の第１（図１９では上）表面領域ＳＡ１２１にある。また、３つのネスト（凹み）Ｎ１２１−Ｎ１２３があるため、ネストＮ１２１−Ｎ１２２はアキュムレータＡ１の背面ＢＦ１の第１表面領域ＳＡ１２１にあり、第３のネストＮ１２３はアキュムレータＡ１の背面ＢＦ１の第２表面領域ＳＡ１２２にある。
【０１１６】
容器Ｃ２を有する第２の凍結アキュムレータＡ２に関して、アキュムレータＡ２の前面ＦＦ２は図２１の左側に示され、アキュムレータＡ２の背（後）面ＢＦ２は図２０および２２の上部に示されている。したがって、突起部およびネストに関して、第２のアキュムレータＡ２の容器Ｃ２の前面ＦＦ２には、３つの突起部ＰＲ２１１−ＰＲ２１３があり、そのため、突起部ＰＲ２１１、ＰＲ２１２は、第１（図２１では下）表面領域ＳＡ２１１にあり、第３の突起部ＰＲ２１３は、第２（図２１では上）の表面領域ＳＡ２１２にある。また、アキュムレータＡ２の前面ＦＦ２には３つのネスト（凹み）Ｎ２１１−Ｎ２１３があるため、ネストＭ２１１−Ｎ２１２は第２表面領域ＳＡ２１２にあり、第３のネストＮ２１３は第１表面領域ＳＡ２１１にある。
【０１１７】
図２０および２２の上部に示される第２のアキュムレータＡ２の背面ＢＦ２を参照すると、対応して第２のアキュムレータＡ２の容器Ｃ２の背（後）面ＢＦ２には、３つの突起部ＰＲ２２１−ＰＲ２２３があるため、突起部ＰＲ２２１、ＰＲ２２２は、第２表面領域ＳＡ２２２にあり、第３の突起部ＰＲ２２３は、背面ＢＦ２の第１表面領域ＳＡ２２１にある。また、３つのネスト（凹み）Ｎ２２１−Ｎ２２３があるため、ネストＮ２２１−Ｎ２２２はアキュムレータＡ２の背面ＢＦ２の第１表面領域ＳＡ２２１にあり、第３のネストＮ２２３は、アキュムレータＡ２の背面ＢＦ２の第２表面領域ＳＡ２２２にある。
【０１１８】
図２３−２４に関して、本発明は、２つの異なる種類のスタック上に大量、例えば１０個のアキュムレータをスタックすることを可能にする。図２３−２４は、３つのアキュムレータＡ１−Ａ３を有するスタックを示す。図２０および２２の上部と図２１の左側に示されている第２のアキュムレータＡ２と、図１５−２２に示されている第１のアキュムレータＡ１について。少なくとも３つの積み重ねられたアキュムレータＡ１−Ａ３を有する図２３によるギャップのないタイトなスタックが必要な場合、凍結アキュムレータＡ１の容器の面が前記別のアキュムレータＡ２の面に当たるように配置される使用姿勢を形成するように、アキュムレータＡ１の突起部ＰＲ１１１−ＰＲ１１３は、アキュムレータＡ２のネストＮ２２１−Ｎ２２３と結合するように配置され、アキュムレータＡ１のネストＮ１１１−Ｎ１１３は、アキュムレータＡ２の対応する突起部ＰＲ２２１−ＰＲ２２３と結合するよう配置されていると言える。図２３では、凍結アキュムレータＡ２の容器Ｃ２の面は、アキュムレータＡ１の容器Ｃ１の面に当たるように配置され、アキュムレータＡ２の他の面は、アキュムレータＡ３の面に当たる。上記の「使用姿勢」とは、凍結した凍結アキュムレータがギャップなくタイトに結合されているため、涼しさ／寒さをより効率的に保つアキュムレータのタイトなスタックを指す。図２０−２１を参照すると、アキュムレータＡ１の上にアキュムレータＡ２を積み重ねることで、アキュムレータＡ１、Ａ２のこの適切な相対位置に到達できる。そのため。突起部ＰＲ２２１がネストＮ１１１に、突起部ＰＲ２２２がネストＮ１１２に、突起部ＰＲ２２３がネストＮ１１３に出会う。これに対応して、アキュムレータＡ１の突起部ＰＲ１１１−ＰＲ１１３は、アキュムレータＡ２のネストＮ２２１−Ｎ２２３に出会う。図１５のアキュムレータの上に図１６のアキュムレータＡ２を置くだけで、アキュムレータＡ１、Ａ２の同様のタイト／ギャップなしの組み合わせを行うことができる。図２３では、アキュムレータＡ１−Ａ３は、アキュムレータの底面が次の／平行なアキュムレータの前面に対向するように配置される。例えば、第２のアキュムレータＡ２の背面ＢＦ２は、第１のアキュムレータＡ１の前面ＦＦ１に対向しており、第３のアキュムレータＡ３の背面ＢＦ３は、第２のアキュムレータＡ２の前面ＦＦ２に対向している。
【０１１９】
図１５−２１を参照すると、アキュムレータＡ１の前面ＦＦ１と背面ＢＦ１（図１９に示す）の両方で、突起部およびネストは、容器Ｃ１のそれぞれの面ＦＦ１の第１表面領域ＳＡ１１１にある第１のグループが、少なくとも２つの突起部ＰＲ１１１、ＰＲ１１２および少なくとも１つのネストＮ１１３を有するように、グループで配置される。さらに、容器Ｃ１のそれぞれの面ＦＦ１の第２表面領域ＳＡ１１２にある第２のグループは、少なくとも２つのネストＮ１１１、Ｎ１１２および少なくとも１つの突起部ＰＲ１１３を有する少なくとも３つの部材を備える。上記はアキュムレータＡ１の前面ＦＦ１に関するものである。
【０１２０】
対応して図１９では、アキュムレータＡ１の背面ＢＦ１に関連して、突起部およびネストは、容器Ｃ１のそれぞれの背面ＢＦ１の第２表面領域ＳＡ１２２にある第２のグループが、少なくとも２つの突起部ＰＲ１２１、ＰＲ１２２および少なくとも１つのネストＮ１２３を有する少なくとも３つの部材を備えるように、グループで配置される。さらに、容器Ｃ１のそれぞれの面ＢＦ１の第１表面領域ＳＡ１２１にある第１のグループは、少なくとも２つのネストＮ１２１、Ｎ１２２および少なくとも１つの突起部ＰＲ１２３を有する少なくとも３つの部材を備える。
【０１２１】
上記の突起部とネストの構成は、他のアキュムレータＡ２−Ａ３にも当てはまる。
【０１２２】
図２０のアキュムレータＡ１−Ａ２が図２３に示すように積み重ねられる場合、図２０では、アキュムレータＡ２の背面ＢＦ２は、アキュムレータＡ１の前面ＦＦ１に対して設定される。その位置では、アキュムレータＡ２の背面ＢＦ２の第１表面領域ＳＡ２２１にある２つのネストＮ２２１、Ｎ２２２と１つの突起部ＰＲ２２３は、アキュムレータＡ１の前面ＦＦ１の第１表面領域ＳＡ１１１にある２つの突起部ＰＲ１１１、ＰＲ１１２と１つのネストＮ１１３に対応するように配置されている。これはアキュムレータ間にギャップのないタイトなスタックとなるような使用姿勢となる。なぜなら、タイトなスタックは長時間にわたって蓄えられた冷気（または蓄えられた熱）を維持できるからである。
【０１２３】
上記と比較して、各２つのアキュムレータの（図２４に基づく）異なる位置に関して、および図２０−２１と１８−１９を参照すると、図２０−２１に示すアキュムレータＡ２は、最初にアキュムレータＡ２の垂直（縦）軸を中心に１８０度反転／回転され、そのため、アキュムレータＡ２の前面ＦＦ２（図２１の左側に示す）は、アキュムレータＡ１の前面ＦＦ１に対向して配置されている。特に２４（また、縦軸を中心にアキュムレータＡ２を回転させた後の図２１）を参照して、アキュムレータＡ２が前記ほかの凍結したアキュムレータＡ１と比べて（アキュムレータ間のギャップなしの図２３の上述した使用姿勢に対して）回転した位置に配置されている場合、アキュムレータＡ１の前面ＦＦ１の第１表面領域ＳＡ１１１にある突起部ＰＲ１１１、ＰＲ１１２、ＰＲ１１３は、第２のアキュムレータＡ２の第１表面領域ＳＡ２１１にある突起部ＰＲ２１２、ＰＲ２１１、ＰＲ２１３に対向して配置されている。これは凍結モード（または蓄熱アキュムレータの場合は加熱モード）であり、凍結アキュムレータＡ１の面ＦＦ１が前記別の凍結アキュムレータＡ２の面ＦＦ２から離れて配置され、これにより、蓄熱アキュムレータＡ１の面ＦＦ１と前記別のアキュムレータＡ２の面ＦＦ２との間に、凍結ギャップ（または、蓄熱アキュムレータの場合の加熱ギャップ）Ｇ１が提供される。したがって、突起部ＰＲ１１１は突起部ＰＲ２１２と係合／結合（セット）され、突起部ＰＲ１１２は突起部ＰＲ２１１と係合／結合（セット）され、突起部ＰＲ１１３は突起部ＰＲ２１３と係合／結合（セット）される。空気ギャップモードは、凍結モードと加熱モードの両方を指す。
【０１２４】
ギャップＧ１−Ｇ２のスタックを作成する場合、図２４に示すように、アキュムレータの縦軸を中心に（Ａ２のような）アキュムレータを１８０度回転／反転させるという既に述べたものの代替の方法もある。この代替案は、次の／平行のアキュムレータＡ１、Ａ３と比較して、アキュムレータＡ２の平面の１８０度回転である。その場合、アキュムレータＡ１−Ａ３は、アキュムレータＡ１の前面ＦＦ１が次の平行アキュムレータＡ２の前面ＦＦ２に（またはギャップＧ１ありで）面している（またはアキュムレータＡ２の背面ＢＦ２がアキュムレータＡ３の背面ＢＦ３とギャップＧ２ありで面している）図２４のようにはならない。その代わりに、アキュムレータＡ１の前面ＦＦ１は、アキュムレータＡ２の背面（下面）ＢＦ２に（ギャップありで）面しており、アキュムレータＡ２の前面ＦＦ２は、アキュムレータＡ３の背面（下面）ＢＦ３に（ギャップありで）面している。
【０１２５】
アキュムレータＡ２−Ａ３における突起部およびネストの構成は、アキュムレータＡ１に関して開示されたとおりである。
【０１２６】
突起部およびネストに関して、アキュムレータＡ２とＡ３の間の相互関係は、アキュムレータＡ１とＡ２の間の相互関係に関して開示されたとおりである。
【０１２７】
図２４では、凍結ギャップＧ１（加熱ギャップ）に対応して、アキュムレータＡ２とＡ３との間の凍結ギャップは、Ｇ２で示されている。例えば、ギャップの高さは、少なくとも１０ｍｍであることが好ましい。ＰＲ１１１−ＰＲ１１３、ＰＲ２１１−ＰＲ２２３のような突起部の高さは、少なくとも６ｍｍであることが好ましい。（図２４に示すようにギャップＧ１、Ｇ２がある）凍結（または加熱）モードでも、２つのアキュムレータＡ１、Ａ２（またはＡ２、Ａ３）の高さ６ｍｍの突起部２つがそれぞれ結合（接触、セット）されている場合、ギャップは１２ｍｍではなくて１０ｍｍである。なぜなら、後で説明するように、アキュムレータＡ１の前面ＦＦ１の突起部ＰＲ１１１、ＰＲ１１３は凹部を有し、その結果、アキュムレータＡ２の前面ＦＦ２上の対応する突起部ＰＲ２１２、ＰＲ２１３は、突起部ＰＲ１１１、ＰＲ１１３まで約２ｍｍ（または任意の他の適切な量）延びることができるからである。
【０１２８】
上記を参照して、図２４に示すようにギャップＧ１、Ｇ２を有するスタックを作成したい場合、アキュムレータの上述した回転は、（図２３の使用姿勢と比較して）次の１つ以上の操作を実行できる：平面方向に１８０度回転（アキュムレータの軸を中心に回転しない）、またはアキュムレータの長手方向の軸を中心に１８０度回転／反転。
【０１２９】
縦軸は、図１５−１６において垂直方向に、図２３−２４において図を見ている者に向かって伸びており、突起部ＰＲ１１１、ネストＮ１１３、および突起部ＰＲ１１２を有する領域ＳＡ１１１での突起部／ネストのグループの方向と比較すると横断線であり、縦軸は、ネストＮ１１１、突起部ＰＲ１１３およびネストＮ１１２を有する領域ＳＡ１１２でのネスト／突起部のグループの方向と比較しても横断線である。
【０１３０】
上述のように、突起部およびネストは、少なくとも２つの突起部ＰＲ１１１、ＰＲ１１２と少なくとも１つのネストＮ１１３を有する３つの部材を備えており、容器Ｃ１のそれぞれの面ＦＦ１の第１表面領域ＳＡ１１１にある第１のグループのようなグループで配置されている。さらに、容器Ｃ１のそれぞれの面ＦＦ１の第２表面領域ＳＡ１１２にある第２のグループは、少なくとも２つのネストＮ１１１、Ｎ１１２および少なくとも１つの突起部ＰＲ１１３を有する少なくとも３つの部材を備える。これを参照すると、以下の好ましい実施形態がある。
【０１３１】
一実施形態では、容器Ｃ１の面ＦＦ１上で、前記第１表面領域ＳＡ１１１に位置する第１のグループおよび前記第２表面領域ＳＡ１１２に位置する第２のグループは、容器の異なる側端部ＳＥ１−ＳＥ４の隣にある。図に示すようにさらに特定された実施形態では、容器Ｃ１の面ＦＦ１上で、前記第１表面領域ＳＡ１１１に位置する第１のグループおよび前記第２表面領域ＳＡ１１２領域に位置する第２のグループは、容器Ｃ１の対向する側端部ＳＥ１、ＳＥ３の隣にある。さらなる実施形態では、容器Ｃ１の面ＦＦ１上で、前記第１表面領域ＳＡ１１１上に位置する第１のグループおよび前記第２表面領域ＳＡ１１２上に位置する第２のグループは、互いに平行である。言い換えると、突起部ＰＲ１１１、ネストＮ１１３および突起部ＰＲ１１２を有する線／列は、ネストＮ１１１、突起部ＰＲ１１３およびネストＮ１１２を有する線／列と平行である。
【０１３２】
同じことは、図１９に示す背（後）面ＢＦ１にも当てはまる。したがって、背面ＢＦ１上で、背面ＢＦ１で前記第１表面領域ＳＡ１２１に位置する第１のグループ、および第２表面領域ＳＡ１２２に位置する第２のグループは、容器Ｃ１の対向する側端部ＳＥ１、ＳＥ３の隣にある。さらなる実施形態では、容器Ｃ１の面ＢＦ１上で、背面ＢＦ１で前記第１表面領域ＳＡ１２１に位置する第１のグループと前記第２表面領域ＳＡ１２２に位置する第２のグループは互いに平行である。言い換えると、突起部ＰＲ１２１、ネストＮ１２３、および突起部ＰＲ１２２を有する線／列は、ネストＮ１２１、突起部ＰＲ１２３、およびネストＮ１２２を有する線／列と平行である。
【０１３３】
特に図１９を参照すると、アキュムレータＡ１の両面ＦＦ１、ＢＦ１が示されている。ミラー対称性および容易な適応性を有するために、一実施形態では、アキュムレータＡ１は、容器の前面ＦＦ１にＰＲ１１１−ＰＲ１１３のような突起部がある位置に、容器Ｃ１の背面ＢＦ１にネストＮ１２１、Ｎ１２２、Ｎ１２３があるようなものである。これに対応して、容器Ｃ１の前面ＦＦ１のネストＮ１１１−Ｎ１１３がある位置には、容器Ｃ１の背面ＢＦ１に突起部ＰＲ１２１、ＰＲ１２２、ＰＲ１２３がある。
【０１３４】
この文脈では、図１６−１７を見て、両方の面ＦＦ１、ＢＦ１の同じ位置に突起部があることを参照しようとするとしても、これは正しくないことを理解することが重要である。なぜなら、図１６−１７における突起部は見ている者から同じ距離にないことを理解することが重要だからである。
【０１３５】
一実施形態では、ＰＲ１１１、ＰＲ１１３などの１つ以上の突起部は、アキュムレータＡ１の突起部を別のアキュムレータＡ２の突起部に対して位置決めするための支持構造ＳＳ１１１、ＳＳ１１３を備え、それにより、アキュムレータＡ１、Ａ２の横方向移動に対する支持を作成する。さらなる実施形態では、ＰＲ１１１−ＰＲ１１３、ＰＲ１２１−ＰＲ１２３などの少なくとも３つの突起部（各面上）が、その支持構造を備える。
【０１３６】
図１８−１９の例から分かるように、前面ＦＦ１では、突起部ＰＲ１１１−ＰＲ１１３は、１つ以上の突起部ＰＲ１１１−ＰＲ１１３において他の支持構造とは異なる形状を有する突起部固有の支持構造ＳＳ１１１−ＳＳ１１３を有する。同様に、背面ＢＦ１では、突起部ＰＲ１２１−ＰＲ１２３上に支持構造ＳＳ１２１−ＳＳ１２３がある。
【０１３７】
例えば、図１８−１９に関して、アキュムレータＡ１の前面ＦＦ１では、支持構造ＳＳ１１１は、前面ＦＦ１における突起部ＰＲ１１１の端面にある中空スペース（凹部）の壁である。同様に、支持構造ＳＳ１２１は、背面ＢＦ１における突起部ＰＲ１２１の端面にある中空スペース（凹部）の壁である。図２４に示されているギャップＧ１、Ｇ２の凍結／加熱位置について、および図２１について、アキュムレータＡ２が縦（垂直）軸を中心に１８０度回転し、アキュムレータＡ２の前面ＦＦ２がアキュムレータＡ１の前面ＦＦ１に面するようになる場合：容器Ｃ１の前面ＦＦ１の突起部ＰＲ１１１の端面上の壁のある凹みＳＳ１１１（位置決め／センタリング／集中用の支持構造ＳＳ１１１）は、そのときアキュムレータＡ２の前面ＦＦ２で湾曲した突起部ＰＲ２１２と協働し（係合、接続、結合、対抗）、湾曲した突起部ＰＲ１１２は、アキュムレータＡ２の前面ＦＦ２上の突起部ＰＲ２１１の凹壁ＳＳ２２１（位置決め／センタリング／集中のための支持構造ＳＳ２１２）と協働する（係合、接続、結合、対抗）。
【０１３８】
図２０−２２に関して、第２のアキュムレータＡ２の突起部も、支持構造ＳＳ２２１−ＳＳ２２３、ＳＳ２１１−ＳＳ２１３を有する。図２０の上部に示すように、支持構造ＳＳ２２１−ＳＳ２２３は、アキュムレータＡ２の背面ＢＦ２の突起部ＰＲ２２１−ＰＲ２２３の端面にある。図２１の左部に示すように、支持構造ＳＳ２１１−ＳＳ２１３は、アキュムレータＡ２の前面ＦＦ２の突起部ＰＲ２１１−ＰＲ２１３の端面にある。図２１における突起部ＰＲ２１１上の支持構造ＳＳ２１１と突起部ＰＲ２２１上の支持構造ＳＳ２２１とは、図１９における前述の凹壁ＳＳ１１１およびＳＳ１２１と同様である。
【０１３９】
アキュムレータＡ１の前面ＦＦ１の突起部ＰＲ１１１の端面の凹壁ＳＳ１１１を第１のタイプの位置決め構造とすると、突起部ＰＲ１１２の曲面形状ＳＳ１１２を第２のタイプの位置決めのための支持構造とみなすことができる。なぜなら、それはアキュムレータＡ２で突起部ＰＲ２２１の凹壁ＳＳ２２１と協働するためである。
【０１４０】
図１８−２２を参照すると、第３のタイプの支持構造が以下で論じられている。前面ＦＦ１では、第３のタイプの支持構造は、一実施形態によるものであり、１つ以上の支持構造は、突起部ＰＲ１１３の端面においてより低いステップＳＳ１１３Ｌおよびより高いステップＳＳ１１３Ｈを備えるステップ構造ＳＳ１１３である。アキュムレータＡ１の裏面ＢＦ１には、突起部ＰＲ１２３の端面に同様のステップ構造ＳＳ１２３があり、このステップ構造ＳＳ１２３は、突起部ＰＲ１２３の端面により低いステップＳＳ１２３Ｌとより高いステップＳＳ１２３Ｈとを備える。アキュムレータＡ１の前面ＦＦ１の突起部ＰＲ１１３にあるステップ構造ＳＳ１１３の対応物として、第２のアキュムレータＡ２は、突起部ＰＲ２２３の端面にあるステップ構造ＳＳ２２３を備え、同様に、このステップ構造ＳＳ２２３は、突起部ＰＲ２２３の端面により低いステップＳＳ２２３Ｌとより高いステップＳＳ２２３Ｈとを備える。
【０１４１】
図２４およびステップ構造ＳＳ１１３とＳＳ２２３の形状からわかるように、アキュムレータＡ１の突起部ＰＲ１１３にあるより高いステップＳ１１３Ｈは、第２のアキュムレータＡ２の前面ＦＦ２の突起部ＰＲ２１３にあるより低いステップＳＳ２１３Ｌと結合（係合、接続、対抗）している。これに対応して、アキュムレータＡ１の突起部ＰＲ１１３にあるより低いステップＳ１１３Ｌは、第２のアキュムレータＡ２の前面ＦＦ２の突起部ＰＲ２１３にあるより高いステップＳＳ２１３Ｈと結合（接続、対抗）される。
【０１４２】
突起部およびステップは垂直方向に延びるので、「より高い」および「より低い」は、容器の表面と比較して理解されるべきであり、地面からより高いステップであると理解されるべきではない。
【０１４３】
一実施形態における図１５および１８−２２を参照すると、容器Ｃ１のそれぞれの面ＦＦ１の第２表面領域ＳＡ１１２にある第２のグループにおいて、支持構造ＳＳ１１３としてステップ構造ＳＳ１１３Ｈ、ＳＳ１１３Ｌを有する突起部ＰＲ１１３は、２つのネストＮ１１１、Ｎ１１２の間にある。さらに、容器Ｃ１のそれぞれの面ＦＦ１の第１表面領域ＳＡ１１１にある第１のグループでは、ネストＮ１１３は、２つの突起部ＰＲ１１１、ＰＲ１１２の間にある。同様の原理は、アキュムレータＡ１のミラー状の裏側ＢＦ１にもある。
【０１４４】
突起部およびネストの構成の鏡面対称性を強調するさらに別の特徴は、一実施形態で説明されているとおりである：第１のグループの突起部が容器Ｃ１のそれぞれの面ＦＦ１の第１表面領域ＳＡ１１１にある同じ縦線で、第２のグループのネストが容器のそれぞれの面の第２表面領域にある。言い換えると、同じ縦線に突起部ＰＲ１１１とネストＮ１１１があり、同じ縦線に突起部ＰＲ１１２とネストＮ１１２がある。対応して、容器Ｃ１のそれぞれの面ＦＦ１の第１表面領域ＳＡ１１１で第１のグループのネストＮ１１３がある同じ縦線において、第２表面領域で第２のグループの突起部ＰＲ１１３がある。
【０１４５】
突起部の追加の役割に関して、一実施形態では、突起部は、凍結アキュムレータが挿入されるボックスの底壁または他の壁に関して空気ギャップを提供する。
【０１４６】
上記の突起部とネストの構成は、他の同様のアキュムレータＡ２−Ａ３にも当てはまる。
【０１４７】
図１９を参照すると、一実施形態では、アキュムレータの容器Ｃ１は、ユーザの１本以上の指のためのリフティング構造ＬＳを備える。リフティング構造ＬＳは、容器壁内または容器壁によって囲まれた表面領域であり、その表面領域は、リフティング構造ＬＳが容器の背／後面ＢＦ１よりも高い位置にあるようにする。リフティング構造ＬＳの隣に、またはリフティング構造ＬＳに囲まれて、１本以上の指のための貫通開口部ＯＰがある。アキュムレータが（アキュムレータのための）ボックスの底部または別のアキュムレータの上に支持されている場合、リフティング構造ＬＳの高さに関連する位置は、リフティング構造の下に指用の空のスペースを作成する。
【０１４８】
上述した構造体は、蓄冷アキュムレータだけでなく、蓄熱アキュムレータにも適している。
【０１４９】
図では、ＳＩＬ１とＳＩＬ２は、容器Ｃ１、Ｃ２に相変化材料を充填するときに使用される密閉された／閉じられた入力を指す。
【０１５０】
開示された実施形態は、アキュムレータの基本形状、特に突起部／ネストまたはネスト／突起部を有するグループの位置から形成される設定が長方形であるアキュムレータに関する。ただし、正方形ベースの形状も可能であり、その場合、ネスト／突起部または突起部／ネストを有する他のグループと比較して、横方向（約９０度）に方向づけられた突起部／ネストのグループまたはネスト／突起部のグループがある。その場合、アキュムレータのために、約９０度の平面回転が（凍結または加熱のための）空気ギャップモードの作成に適している。空気ギャップモードは、アキュムレータの３つの突起部が別のアキュムレータの３つの突起部と接触するモードである。この種類の横断グループは、垂直で、つまり図１５における縦方向で、側端部ＳＥ１および／またはＳＥ４の隣に配置できる。
【０１５１】
本発明の要素は、アキュムレータの同じ側（同じ面）において、面ＦＦ１上の異なる表面領域ＳＡ１１１、ＳＡ１１２における側端部ＳＥ１、ＳＥ３の隣に２つの結合要素グループがあり、これらのグループはそれぞれ、グループ内において、および同じ面ＦＦ１上の他のグループと比較した場合においても、反対のタイプの結合要素（突起部、ネスト）を有している。領域ＳＡ１１１のグループには２つの突起部ＰＲ１１１、ＰＲ１１２とネストＮ１１３があり、表面領域ＳＡ１１２のグループには２つのネストＮ１１１、Ｎ１１２と突起部ＲＰ１１３がある。さらに、背面ＢＦ１にも対応するグループがあるが、グループは、前面ＦＦ１のグループ（側端部ＳＥ１、ＳＥ３の隣）と比較して、異なる側端部（ＳＥ３、ＳＥ１）の隣にあるため、次のようになる：側端部ＳＥ１の隣の第１表面領域ＳＡ１１１の前面ＦＦ１において、グループ内に２つの突起部ＰＲ１１１、ＰＲ１１２とネストＮ１１３がある場合、側端部ＳＥ３の隣の第２表面領域ＳＡ１２２の背面ＢＦ１において、グループ内に２つの突起部ＰＲ１２１、ＰＲ１１２およびネストＮ１１２がある。
【０１５２】
同様に、側端部ＳＥ３の隣の第２表面領域ＳＡ１１２の前面ＦＦ１において、グループ内に２つのネストＮ１１１、Ｎ１１２および突起部ＰＲ１１３がある場合、側端部ＳＥ１の隣の第１表面領域ＳＥ１２１の背面ＢＦ１において、グループ内に２つのネストＮ１２１、Ｎ１２２と突起部ＰＲ１２３がある。グループ間の距離は、ＦＦ１、ＢＦ１の両方の面で同じである。
【０１５３】
上記は、容器の前面ＦＦ１に突起部ＰＲ１１１−ＰＲ１１３がある位置において、容器Ｃ１の背面ＢＦ１にネストＮ１２１−Ｎ１２３があり、それに対応して、容器Ｃ１の前面ＦＦ１にネストＮ１１１−Ｎ１１３がある位置において、容器Ｃ１の背面ＢＦ１に突起部ＰＲ１２１−ＰＲ１２３があることにも言及している。
【０１５４】
断熱輸送ボックスの材料の製造に適した材料の例は、発泡ポリプロピレン（ＥＰＰ）、発泡ポリスチレン（ＥＰＳ）またはポリウレタン（ＰＵＲ）である。断熱輸送ボックス１の外面は、周囲の熱負荷を低減するために、熱反射塗料で塗装することもできる。さらに、断熱輸送ボックス１の外面にコーティングを施して、ボックスのへこみや引っかき傷を防止することができる。コーティングは、反射することによって周囲の熱負荷を減らすこともできる。加えて、断熱輸送ボックスの内面または／および外面に抗菌コーティングを施すことができる。
【０１５５】
さまざまな国の国家衛生法は、多くの場合、容器が蓄冷アキュムレータを備える場合や、蓄冷アキュムレータがなくても、既存の周囲温度のために保管温度が法定の最大値を下回っている場合には、生鮮食品を、一時的に容器を閉じる蓋のある隔離された容器において販売したり保管したりすることを許可している。生鮮食品とは、法定の最大値以下の低温で保管しないと、腐敗したり、腐ったり、安全に消費できなくなったりする食品である。生鮮食品の例は、肉、家禽、魚、乳製品である。生鮮食品の一般的な法定最高温度は０〜８℃である。缶の断熱輸送ボックス１は、生鮮食品の一時保管に使用できる。好ましくは、相変化材料は、−２℃〜２℃の温度範囲で融解温度を有する。
【０１５６】
当業者には、技術が進歩するにつれて、本発明の概念を様々な方法で実施できることが明らかであろう。本発明およびその実施形態は、上述の例に限定されず、特許請求の範囲内で変化し得る。
【符号の説明】
【０１５７】
１：断熱輸送ボックス
２：カバー
３：ボックス本体
４：側壁
５：端壁
６：開口部
７：底壁
８：フランジ
９ａ−ｂ：半柱
１０ａ−ｂ：半柱間のギャップ
１１：分離パーティション
１２：ノッチ
１３：縁部
１４：半柱の端部
１５：輸送物品
１６：蓄冷または蓄熱アキュムレータ
１７：穴
１８：底壁の突起部
１９ａ−ｂ：列間のギャップ
２０ａ−ｄ：スペース
２１：リップ部
２２：隔壁
２３：温度監視装置
２４：取り付けトレイ
２５：固定点
２６：運搬部材
２７：突出部
２８：延長部分
２９：凹部
Ａ１、Ａ２、Ａ３：蓄冷または蓄熱アキュムレータ
ＢＦ１、ＢＦ２、ＢＦ３：背面
Ｃ１、Ｃ２：容器
ＦＦ１、ＦＦ２、ＦＦ３：前面
Ｇ１、Ｇ２：空気ギャップ
Ｌ：長手方向
ＬＳ：リフティング構造
Ｎ１１１−Ｎ１１３、Ｎ１２１−Ｎ１２３、Ｎ２２１−Ｎ２２３：ネスト
ＯＰ：貫通開口部
ＰＲ１１１−ＰＲ１１３、ＰＲ１２１−ＰＲ１２３：突起部
ＳＡ１１１、ＳＡ１２１：第１表面領域
ＳＡ１１２、ＳＡ１２２：第２表面領域
ＳＥ１−ＳＥ４：側端部
ＳＩＬ１、ＳＩＬ２：入力
ＳＳ１１１−ＳＳ１１３、ＳＳ１２１−ＳＳ１２３：支持構造
ｗ：横方向
【図１】
2021502537.tif 000003
【図２】
2021502537.tif 000004
【図３】
2021502537.tif 000005
【図４】
2021502537.tif 000006
【図５】
2021502537.tif 000007
【図６】
2021502537.tif 000008
【図７】
2021502537.tif 000009
【図８】
2021502537.tif 000010
【図９】
2021502537.tif 000011
【図１０】
2021502537.tif 000012
【図１１】
2021502537.tif 000013
【図１２】
2021502537.tif 000014
【図１３】
2021502537.tif 000015
【図１４】
2021502537.tif 000016
【図１５】
2021502537.tif 000017
【図１６】
2021502537.tif 000018
【図１７】
2021502537.tif 000019
【図１８ａｎｄ１９】
2021502537.tif 000020
【図２０】
2021502537.tif 000021
【図２１】
2021502537.tif 000022
【図２２】
2021502537.tif 000023
【図２３】
2021502537.tif 000024
【図２４】
2021502537.tif 000025
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
カバー（２）とボックス本体（３）とを備える断熱輸送ボックス（１）であって、
前記ボックス本体（３）は、側壁（４）、端壁（５）、開口部（６）、および底壁（７）を備え、
前記側壁（４）の内面は、前記側壁（４）から突出する複数の半柱（９ａ）を備え、
前記端壁（５）の内面は、前記端壁（５）から突出する複数の半柱（９ｂ）を備え、
前記複数の半柱（９ａ−ｂ）は、前記側壁（４）および前記端壁（５）に沿って垂直に延び、
前記断熱輸送ボックス（１）は、その対向する縁部（１３）にノッチ（１２）を有する少なくとも１つの隔壁（２２、２２ｂ）を備え、
前記隔壁（２２、２２ｂ）は、前記開口部（６）の少なくとも一部を覆うように配置されているために前記複数の半柱（９ａ−ｂ）によって支持され、
前記ノッチ（１２）の少なくとも一部は、前記側壁（４）から突出した前記複数の半柱（９ａ）の間のギャップ（１０ａ）と整列して空気の流路を形成しており、
前記隔壁（２２、２２ｂ）は、２つの水平方向に互いに隣接するスペース（２０ａ−ｄ）を生成するための分離壁を形成するために互いに隣接する複数の半柱（９ａ）の間に配置可能であり、
前記隔壁（２２、２２ｂ）は、蓄冷または蓄熱アキュムレータ（Ａ１、Ａ２）によって形成され、
前記蓄冷または蓄熱アキュムレータ（Ａ１、Ａ２）は、相変化材料用の容器（Ｃ１）を備え、
前記容器は、前面（ＦＦ１）、前記容器（Ｃ１）の後側の背面（ＢＦ１）、および前記前面（ＦＦ１）と前記背面（ＢＦ１）との間の側端部（ＳＥ１−ＳＥ４）を備え、
前記前面（ＦＦ１）および前記背面（ＢＦ１）のアキュムレータ（Ａ１）は、突起部（ＰＲ１１１−ＰＲ１１３、ＰＲ１２１−ＰＲ１２３）とネスト（Ｎ１１１−Ｎ１１３、Ｎ１２１−Ｎ１２３）とを有し、
前記アキュムレータ（Ａ１）の前記突起部（ＰＲ１１１−ＰＲ１１３）は、別のアキュムレータ（Ａ２）の対応するネスト（Ｎ２２１−Ｎ２２３）と結合するように配置され、
前記アキュムレータ（Ａ１）の前記ネスト（Ｎ１１１−Ｎ１１３）は、前記アキュムレータ（Ａ１）の前記容器（Ｃ１）の面（ＦＦ１）が前記別のアキュムレータ（Ａ２）の面（ＢＦ２）に対向するように配置される使用モードを形成するように、前記別のアキュムレータ（Ａ２）の対応する突起部と結合するように配置されることを特徴とする断熱輸送ボックス。
【請求項２】
前記蓄冷または蓄熱アキュムレータ（Ａ１、Ａ２）の前記前面（ＦＦ１）および前記背面（ＢＦ１）の両方において、
前記突起部およびネストは、前記容器（Ｃ１）のそれぞれの前記面（ＦＦ１；ＢＦ１）の第１表面領域（ＳＡ１１１、ＳＡ１２１）にある第１グループが少なくとも２つの突起部（ＰＲ１１１、ＰＲ１１２；ＰＲ１２１、ＰＲ１２２）および少なくとも１つのネスト（Ｎ１１３；Ｎ１２３）を有する少なくとも３つの部材を備え、前記容器のそれぞれの前記面（ＦＦ１；ＢＦ１）の第２表面領域（ＳＡ１１２；ＳＡ１２２）にある第２グループが少なくとも２つのネスト（Ｎ１１１、Ｎ１１２；Ｎ１２１、Ｎ１２２）と少なくとも１つの突起部（ＰＲ１１３；ＰＲ１２３）を有する少なくとも３つの部材を有するように、グループに配置されており、
前記アキュムレータ（Ａ１）が前記別のアキュムレータ（Ａ２）と比較して回転された位置にあるように配置されるとき、前記アキュムレータ（Ａ１）の前記突起部（ＰＲ１１１−ＰＲ１１３）は、空気ギャップモードを形成するように、前記別のアキュムレータ（Ａ２）の前記突起部に対向して配置され、前記空気ギャップモードは、前記アキュムレータ（Ａ１）の前記面（ＦＦ１）が前記別のアキュムレータ（Ａ２）の前記面（ＦＦ２）から離れて配置され、それによって、前記アキュムレータの前記面（ＦＦ１）と前記別のアキュムレータ（Ａ２）の前記面（ＦＦ２）との間に空気ギャップ（Ｇ１）を提供するモードであることを特徴とする請求項１に記載の断熱輸送ボックス。
【請求項３】
前記断熱輸送ボックス（１）は、その対向する縁部（１３）にノッチ（１２）を有する少なくとも１つの分離パーティション（１１）をさらに備え、
前記分離パーティション（１１）は、前記開口部（６）の少なくとも一部を覆うように配置されているため、前記複数の半柱（９ａ−ｂ）によって支持され、
前記ノッチ（１２）の少なくとも一部は、前記側壁（４）から突出した前記複数の半柱（９ａ）の間のギャップ（１０ａ）と整列して空気の流路を形成し、
前記分離パーティション（１１）は、２つの水平方向に互いに隣接するスペース（２０ａ−ｂ）を生成するための分離壁を形成するように、互いに隣接する複数の半柱（９ａ）の間に配置可能であることを特徴とする請求項１または２のいずれか１つに記載の断熱輸送ボックス。
【請求項４】
前記底壁（７）が複数の実質的に半球形状の突起部（１８）を有することを特徴とする請求項１から３のいずれか１つに記載の断熱輸送ボックス。
【請求項５】
前記複数の実質的に半球形状の突起部（１８）の少なくとも一部は、前記底壁（７）の横方向（ｗ）に列を成して並べられており、
２つの互いに隣接する列間のギャップ（１９ａ）と、前記側壁（４）から突出する２つの互いに隣接する複数の半柱（９ａ）間のギャップ（１０ａ）とは、前記ボックス本体（３）の長手方向（Ｌ）のほぼ同じ位置にあることを特徴とする請求項４に記載の断熱輸送ボックス。
【請求項６】
前記ボックス本体（３）、前記複数の半柱（９ａ−ｂ）、および前記複数の実質的に半球形状の突起部（１８）は、同じ材料を含み、単一の部品を形成することを特徴とする請求項４に記載の断熱輸送ボックス。
【請求項７】
前記側壁（４）から突出している前記複数の半柱（９ａ）の少なくとも一部が、前記底壁（７）から前記ボックス本体（３）の上部まで延びていることを特徴とする請求項１から６のいずれか１つに記載の断熱輸送ボックス。
【請求項８】
前記側壁（４）から突出している前記複数の半柱（９ａ）が、その直径の半分未満だけ前記側壁（４）から突出していることを特徴とする請求項１から７のいずれか１つに記載の断熱輸送ボックス。
【請求項９】
分離パーティション（１１）が、１つ以上の蓄冷または蓄熱アキュムレータ（１６）のための支持面を形成し、前記ボックス本体（３）の下部に輸送物品（１５）のための支持面を形成するために配置可能であることを特徴とする請求項３から８のいずれか１つに記載の断熱輸送ボックス。
【請求項１０】
前記隔壁（２２、２２ｂ）が前記ボックス本体（３）の下部に配置されているときに、前記ノッチ（１２）は前記複数の半柱（９ａ）を囲むように前記複数の半柱（９ａ）と整列していることを特徴とする請求項１から９のいずれか１つに記載の断熱輸送ボックス。
【請求項１１】
分離パーティション（１１）は、前記縁部（１３）から突出するリップ部（２１）を備え、
前記分離パーティション（１１）が前記ボックス本体（３）の下部に配置されているとき、前記リップ部（２１）は、前記底壁（７）に接触し、前記分離パーティション（１１）を支持して、前記底壁（７）と前記分離パーティション（１１）との間に空気の流路を提供することを特徴とする請求項３から１０のいずれか１つに記載の断熱輸送ボックス。
【請求項１２】
構造体が断熱輸送ボックス（１）を有し、前記断熱輸送ボックス（１）がカバー（２）およびボックス本体（３）を備え、前記ボックス本体（３）が側壁（４）、端壁（５）、開口部（６）、および底壁（７）を備える断熱輸送ボックスの構造体であって、
前記側壁（４）の内面は、前記側壁（４）から突出している複数の半柱（９ａ）を備え、
前記端壁（５）の内面は、前記端壁（５）から突出している複数の半柱（９ｂ）を備え、
前記複数の半柱（９ａ−ｂ）は、前記側壁（４）および前記端壁（５）に沿って垂直に延びており、
前記断熱輸送ボックス（１）は２つの隔壁（２２、２２ｂ）を備え、
前記隔壁（２２、２２ｂ）は、その対向する縁部（１３）にノッチ（１２）を有し、
前記隔壁は、前記隔壁（２２、２２ｂ）が前記複数の半柱（９ａ−ｂ）によって支持された前記開口部（６）の少なくとも一部を覆うように配置可能であり、
前記ノッチ（１２）の少なくとも一部は、前記側壁（４）から突出している前記複数の半柱（９ａ）間のギャップ（１０ａ）と整列して空気の流路を形成しており、
蓄冷または蓄熱アキュムレータ（Ａ１、Ａ２）は、前記隔壁（２２、２２ｂ）を形成しており、
前記蓄冷または蓄熱アキュムレータ（Ａ１、Ａ２）は、相変化材料用の容器（Ｃ１）を備え、
前記容器は、前面（ＦＦ１）、前記容器（Ｃ１）の後側の背面（ＢＦ１）、および前記前面（ＦＦ１）と前記背面（ＢＦ１）の間の側端部（ＳＥ１−ＳＥ４）を備え、
前記前面（ＦＦ１）および前記背面（ＢＦ１）のアキュムレータ（Ａ１）は、突起部（ＰＲ１１１−ＰＲ１１３、ＰＲ１２１−ＰＲ１２３）およびネスト（Ｎ１１１−Ｎ１１３、Ｎ１２１−Ｎ１２３）を有し、
前記アキュムレータ（Ａ１）の前記突起部（ＰＲ１１１−ＰＲ１１３）は、別のアキュムレータ（Ａ２）の対応するネスト（Ｎ２２１−Ｎ２２３）と結合されるように配置され、
前記アキュムレータ（Ａ１）の前記ネスト（Ｎ１１１−Ｎ１１３）は、前記アキュムレータ（Ａ１）の前記容器（Ｃ１）の面（ＦＦ１）が前記別のアキュムレータ（Ａ２）の面（ＢＦ２）に対向するように配置される使用モードを形成するように、前記別のアキュムレータ（Ａ２）の対応する突起部と結合されるように配置されており、前記構造体は、２つの前記隔壁（２２ｂ）を形成している第１および第２の蓄冷または蓄熱アキュムレータを有し、第１のアキュムレータ（Ａ１）の前記容器（Ｃ１）の前記面（ＦＦ１）は、第２のアキュムレータ（Ａ２）の前記容器（Ｃ２）の前記面（ＢＦ２）に対向するように配置されており、２つの水平方向に互いに隣接するスペース（２０ａ−ｄ）を生成するために、第１および第２のアキュムレータが互いに隣接する複数の半柱（９ａ）の間に配置されることを特徴とする断熱輸送ボックスの構造体。
【請求項１３】
構造体において、２つの隔壁（２２ｂ）を形成している２つの蓄冷または蓄熱アキュムレータ（Ａ１、Ａ２）を備え、
前記アキュムレータ（Ａ１、Ａ２）が前記開口部（６）を覆うように並べて配置され、
前記アキュムレータ（Ａ１、Ａ２）が前記複数の半柱（９ａ−ｂ）によって支持されていることを特徴とする請求項１２に記載の断熱輸送ボックスの構造体。
【請求項１４】
構造体において、前記第１のアキュムレータ（Ａ１）の前記容器（Ｃ１）内の相変化材料は、前記第２のアキュムレータ（Ａ２）の前記容器（Ｃ２）内の相変化材料とは異なる融解／凝固温度を有することを特徴とする請求項１２または１３のいずれか１つに記載の断熱輸送ボックスの構造体。
【請求項１５】
構造体において、前記底壁（７）に並んで配置された２つの隔壁（２２ｂ）をさらに有することを特徴とする請求項１２から１４のいずれか１つに記載の断熱輸送ボックスの構造体。
【請求項１６】
構造体において、断熱輸送ボックスが請求項１から１１のいずれか１つに記載の断熱輸送ボックスを備えることを特徴とする請求項１２から１５のいずれか１つに記載の断熱輸送ボックスの構造体。
【請求項１７】
ワクチンの輸送または生鮮食品の一時的な保管のための請求項１から１１のいずれか１つに記載の断熱輸送ボックスの使用。
【国際調査報告】
2021502537.tif 000026
2021502537.tif 000027
2021502537.tif 000028
2021502537.tif 000029